(57)【要約】【課題】その構図が互いに異なる複数の画像を取得することが可能なデジタルカメラ、画像処理装置、およびプログラムを提供する。【解決手段】デジタルカメラ（画像処理装置）は、ズームレンズとシャッタボタンとＣＣＤ撮像素子とを備える。デジタルカメラは、ズームレンズのレンズ位置を、シャッタボタンが押下された時点における操作者の設定による第１の位置から、その第１の位置よりも広角側の第２の位置へと移動させた後、ＣＣＤ撮像素子によって広角画像（領域Ｒ１に対応する画像）を撮影する。その後、その撮影画像から、第１の位置における画角に対応する大きさを有し且つ画像内における位置が互いに異なる複数の領域（領域Ｒ０，Ｒ２など）を複数の画像として抽出する。これによって、互いに構図が異なる複数の画像を取得する。【選択図】　　　　図８
2004109247.tif 000002
【特許請求の範囲】
【請求項１】
デジタルカメラであって、
光学ズームを行うことが可能なズームレンズと、
撮影開始の指示入力を受け付ける入力手段と、
前記ズームレンズのレンズ位置を、前記指示入力時の操作者の設定による第１の位置から、前記第１の位置よりも広角側の第２の位置へと移動させた状態で、前記ズームレンズからの被写体像を光電変換を用いて画像として取得する撮像手段と、
前記撮像手段により取得された画像から、前記第１の位置における画角に対応する大きさを有し且つ前記画像内における位置が互いに異なる複数の領域を複数の画像として抽出することによって、構図ブラケット撮影を行う制御手段と、
を備えることを特徴とするデジタルカメラ。
【請求項２】
デジタルカメラであって、
撮影レンズと、
前記撮影レンズからの被写体像を光電変換を用いて画像として取得する撮像素子と、
前記撮影レンズの光軸に対する垂直面内において、前記撮影素子を前記撮影レンズに対して相対的に移動させる移動手段と、
撮影開始の指示入力を受け付ける入力手段と、
前記指示入力に応じて、前記撮像素子と前記撮影レンズとを前記垂直面内において相対的に移動させた複数の位置において前記撮像素子による撮影を行い複数の画像を取得することによって、構図ブラケット撮影を行う制御手段と、
を備えることを特徴とするデジタルカメラ。
【請求項３】
デジタルカメラであって、
撮影光学系と、
前記撮影光学系からの被写体像を光電変換を用いて画像として取得する撮像手段と、
異なる構図の複数の画像を取得する構図ブラケットモードを撮影モードとして設定する設定手段と、
前記撮影モードとして前記構図ブラケットモードが設定されている場合には、互いに異なる構図を有する複数の画像を、構図以外の撮影条件のうち少なくとも１つの条件を同一にした状態で取得するように制御する制御手段と、
を備えることを特徴とするデジタルカメラ。
【請求項４】
画像処理装置であって、
処理対象となる対象画像を取得する取得手段と、
処理開始の指示入力を受け付ける入力手段と、
前記指示入力に応じて、前記対象画像よりも小さく且つ前記対象画像内での位置が互いに異なる複数の領域を前記対象画像から抽出することにより、互いに異なる構図を有する複数の画像を生成する生成手段と、
を備えることを特徴とする画像処理装置。
【請求項５】
コンピュータを、
処理対象となる対象画像を取得する取得手段と、
処理開始の指示入力を受け付ける入力手段と、
前記指示入力に応じて、前記対象画像よりも小さく且つ前記対象画像内での位置が互いに異なる複数の領域を前記対象画像から抽出することにより、互いに異なる構図を有する複数の画像を生成する生成手段と、
として機能させるためのプログラム。
【発明の詳細な説明】
【０００１】
【発明の属する技術分野】
本発明は、デジタルカメラ、画像処理装置、およびプログラムに関する。
【０００２】
【従来の技術】
デジタルカメラの中には、たとえば特許文献１に示されるように、露出、フラッシュ発光量、色温度（ホワイトバランス）については、一度のシャッタボタンの押下に応じて、複数の画像が撮影されるブラケット撮影を行うことができるものが存在する。
【０００３】
このようなブラケット撮影においては、露出などの条件を変更しながら複数の画像を撮影しておき、撮影後にその複数の画像の中から最適な画像を選択することができる。
【０００４】
【特許文献１】
特開２００１−２８５７７９号公報
【０００５】
【発明が解決しようとする課題】
ところで、写真の善し悪しを決める要因としては、上記の露出、フラッシュ発光量、色温度に関する撮影条件以外に、「構図」（ないしフレーミング）が存在する。
【０００６】
しかしながら、上記のブラケット撮影としては、上記の露出、フラッシュ発光量、色温度の少なくとも１つの撮影条件を変更しつつ複数の画像を取得するものは存在するが、「構図」（ないしフレーミング）を変更しつつ複数の画像を取得するものは存在しなかった。
【０００７】
そのため、撮影画像の構図が撮影者の意図する構図と相違していた場合には、撮影をやり直すか、あるいは、撮影後に手動操作でトリミングを行うことになってしまうという問題がある。また、手動操作によるトリミング作業は、その操作が非常に困難なものである。
【０００８】
そこで、本発明は前記問題点に鑑み、その構図が互いに異なる複数の画像を取得することが可能なデジタルカメラ、画像処理装置、およびプログラムを提供することを目的とする。
【０００９】
【課題を解決するための手段】
上記目的を達成するため、請求項１の発明は、デジタルカメラであって、光学ズームを行うことが可能なズームレンズと、撮影開始の指示入力を受け付ける入力手段と、前記ズームレンズのレンズ位置を、前記指示入力時の操作者の設定による第１の位置から、前記第１の位置よりも広角側の第２の位置へと移動させた状態で、前記ズームレンズからの被写体像を光電変換を用いて画像として取得する撮像手段と、前記撮像手段により取得された画像から、前記第１の位置における画角に対応する大きさを有し且つ前記画像内における位置が互いに異なる複数の領域を複数の画像として抽出することによって、構図ブラケット撮影を行う制御手段と、を備える。
【００１０】
請求項２の発明は、デジタルカメラであって、撮影レンズと、前記撮影レンズからの被写体像を光電変換を用いて画像として取得する撮像素子と、前記撮影レンズの光軸に対する垂直面内において、前記撮影素子を前記撮影レンズに対して相対的に移動させる移動手段と、撮影開始の指示入力を受け付ける入力手段と、前記指示入力に応じて、前記撮像素子と前記撮影レンズとを前記垂直面内において相対的に移動させた複数の位置において前記撮像素子による撮影を行い複数の画像を取得することによって、構図ブラケット撮影を行う制御手段と、を備える。
【００１１】
請求項３の発明は、デジタルカメラであって、撮影光学系と、前記撮影光学系からの被写体像を光電変換を用いて画像として取得する撮像手段と、異なる構図の複数の画像を取得する構図ブラケットモードを撮影モードとして設定する設定手段と、前記撮影モードとして前記構図ブラケットモードが設定されている場合には、互いに異なる構図を有する複数の画像を、構図以外の撮影条件のうち少なくとも１つの条件を同一にした状態で取得するように制御する制御手段と、を備える。
【００１２】
請求項４の発明は、画像処理装置であって、処理対象となる対象画像を取得する取得手段と、処理開始の指示入力を受け付ける入力手段と、前記指示入力に応じて、前記対象画像よりも小さく且つ前記対象画像内での位置が互いに異なる複数の領域を前記対象画像から抽出することにより、互いに異なる構図を有する複数の画像を生成する生成手段と、を備える。
【００１３】
請求項５の発明は、コンピュータを、処理対象となる対象画像を取得する取得手段と、処理開始の指示入力を受け付ける入力手段と、前記指示入力に応じて、前記対象画像よりも小さく且つ前記対象画像内での位置が互いに異なる複数の領域を前記対象画像から抽出することにより、互いに異なる構図を有する複数の画像を生成する生成手段と、として機能させるためのプログラムである。
【００１４】
【発明の実施の形態】
以下、本発明の実施形態を図面に基づいて説明する。
【００１５】
＜Ａ．第１実施形態＞
＜Ａ１．構成＞
図１、図２及び図３は、本発明の実施形態に係るデジタルカメラ１の外観構成を示す図であり、図１は正面図、図２は上面図、図３は背面図に相当する。これらの図は必ずしも三角図法に則っているものではなく、デジタルカメラ１の外観を例示することを主眼としている。このデジタルカメラは、撮像装置として機能するほか、画像処理装置としても機能する。
【００１６】
デジタルカメラ１の正面側には撮影レンズ２が設けられる。この撮影レンズ２はズーム機能（光学ズーム機能）を有するズームレンズであり、光学ズームを行うこと（言い換えれば、画角を調整すること）が可能である。この光学ズームは、撮影レンズ２の焦点距離を変更することによって実現される。焦点距離は、所定の範囲で変更される。このデジタルカメラ１においては、焦点距離は、２８ｍｍ（ワイド端）から２１０ｍｍ（テレ端）までの間で変更されるものとする。なお、この明細書においては、焦点距離を、３５ｍｍフィルムカメラにおける焦点距離に換算した値（３５ｍｍフィルム換算値、３５ｍｍ相当値ともいう）で表記するものとする。
【００１７】
撮影者はズームリング２ａを用いることによって、撮影画像の撮影倍率を指定することができる。具体的には、ズームリング２ａを手動操作で回動させることなどによって撮影倍率の変更を行うことが可能である。また、このズームリング２ａは、光学ズームを行うための操作用スイッチとして機能する。より詳細には、ズームリング２ａは、デジタルカメラの内部の弾性部材によって、基準位置（ホームポジション）へと復帰させる弾性力（復元力）を受けた状態で支持されている。この状態では撮影レンズ２のレンズ位置はその位置に停止している。その後、操作者がこの復元力に抗してズームリング２ａを手動操作により回転させると、ズームリング２ａは、その基準位置から所定の角度まで任意の角度にまで回転される。デジタルカメラ１は、デジタルカメラ１の内部に設けられた回転検出センサーによって、ズームリング２ａの基準位置からのずれを検出する。デジタルカメラ１は、このずれを検出すると、レンズ駆動部４１（図４）のズームモータを駆動して、撮影レンズ２のレンズ位置を移動させる。これにより、光学ズームにおける倍率（言い換えれば画角）が変更される。なお、このレンズ位置の移動速度は、検出された回転角度に基づいて調整されることが好ましい。たとえば、回転角度が大きい場合には回転角度が小さいよりも高速で移動させればよい。これによれば、光学ズームにおける倍率の調整が容易になる。
【００１８】
このようにして、撮影レンズ２の焦点距離が変更されることによって、撮影レンズ２の光学ズームにおける撮影倍率が変更される。なお、デジタルカメラ１は、後述するように、ズームリング２ａを用いた手動操作以外によっても、全体制御部３０およびレンズ駆動部４１の制御下において撮影レンズ２の位置を変更すること（言い換えれば、光学ズームにおける撮影倍率を変更すること）ができる。
【００１９】
また、デジタルカメラ１のグリップ部１ａの上部にはシャッタボタン（レリーズボタン）９が設けられており、該シャッタボタン９はユーザによる半押し状態（以下、状態Ｓ１とも称する）と全押し状態（以下、状態Ｓ２とも称する）とを区別して検出可能な２段階押し込みスイッチとなっている。デジタルカメラ１は、自動合焦モードが設定されている場合には半押し状態Ｓ１のときに自動合焦制御を開始し、全押し状態Ｓ２のときに記録用画像を撮影するための本撮影動作を開始する。ここでは、シャッタボタン９が前者の状態（すなわち半押し状態Ｓ１）にされた時点で、操作者（ユーザ）からの撮影開始の指示入力が受け付けられたと認識するものとする。
【００２０】
また、デジタルカメラ１の上面には、「撮影モード」と「再生モード」とを切替設定するモード切替え用のダイヤル３が設けられている。撮影モードは被写体の撮影を行って画像データの生成を行うモードである。また、再生モードはメモリカード９０に記録された画像データを、デジタルカメラ１の背面側に設けられた液晶表示部（以下、ＬＣＤという。）５に再生表示するモードである。
【００２１】
具体的には、撮影モードを示す「撮影」が表示された部分を所定の位置（図２の三角印ＭＴ）にまで回転移動させることによって、撮影モードに設定することができる。また、再生モードを示す「再生」が表示された部分を所定の位置（図２の三角印ＭＴ）にまで回転移動させることによって、再生モードに設定することができる。
【００２２】
また、このダイヤル３は、電源のオン操作およびオフ操作を受け付けるためにも用いられる。すなわち、ダイヤル３は電源操作部とも称することができる。具体的には、ダイヤル３の「ＯＦＦ」が表示されている部分を所定の位置（図２の三角印）にまで回転移動させることによって、電源をオフにする操作（電源オフ操作）が行われる。
【００２３】
デジタルカメラ１の背面には、本撮影動作前のライブビュー表示及び記録画像の再生表示等を行うためのＬＣＤ５と電子ビューファインダ（以下、ＥＶＦという。）４とが設けられている。このＬＣＤ５およびＥＶＦ４では、それぞれカラー画像の表示が行われる。ＬＣＤ５およびＥＶＦ４は、それぞれ、所定の画素サイズ（たとえば３２０画素×２４０画素の画素数）を有している。
【００２４】
また、デジタルカメラ１の背面にはメニューボタン６が設けられており、例えば、撮影モード時にメニューボタン６が押下されると、各種撮影条件等を設定するための各種メニュー画面がＬＣＤ５に表示される。また、デジタルカメラ１の背面には、ＬＣＤ５における表示カーソルを４方向に移動させるための十字カーソルボタン７Ｕ，７Ｄ，７Ｌ，７Ｒ、及び十字カーソルボタンの中央部に設けられる決定ボタン７Ｃで構成されるコントロールボタン７が設けられる。これらメニューボタン６及びコントロールボタン７を用いて各種撮影パラメータの設定操作が行われる。各種撮影パラメータの設定状態はデジタルカメラ１の上面側に配置されるデータパネル８に表示される。また、デジタルカメラ１の背面には、ライブビュー表示時にＬＣＤ５に表示される表示内容（特に撮影情報の表示状態）を切り替えるための切替ボタン１３が設けられている。
【００２５】
さらに、デジタルカメラ１の側面には、合焦モードを自動合焦モードと手動合焦モードとで切り替えるための合焦モード切替ボタン１２が設けられている。
【００２６】
また、デジタルカメラ１の側面には、図５（ａ）にも示すように、デジタルカメラ１の設定状態（画像サイズ、画質、露出モード、ドライブモード、ホワイトバランス、撮像感度）に関する操作を行うためのファンクション操作部１１が設けられている。このファンクション操作部１１は、中央部に設けられたファンクションボタン１１ａと、回動可能に設けられたファンクションダイヤル１１ｂとを備えて構成される。
【００２７】
さらに、デジタルカメラ１の側面には、デジタルカメラ１の別の設定状態（具体的には、露出補正、コントラスト、彩度、構図）に関する操作を行うためのデジタルエフェクト操作部１４（図５（ｂ）参照）が設けられている。図５（ｂ）の詳細図に示すように、このデジタルエフェクト操作部１４は、中央部に設けられたデジタルエフェクトボタン１４ａと、回動可能に設けられたデジタルエフェクトレバー１４ｂとを備えて構成される。
【００２８】
また、デジタルカメラ１の上面前側には、デジタルカメラ１の各種の調整を行う前ダイヤル１０が設けられている。
【００２９】
このデジタルカメラ１においては、上述の前ダイヤル１０、ファンクション操作部１１、およびデジタルエフェクト操作部１４を用いることによって、「構図ブラケットモード」を設定することができる。ここにおいて、「構図ブラケットモード」とは、互いに異なる構図を有する複数の画像を取得する撮影モードを意味するものとする。なお、構図ブラケットモードにおける撮影は、シャッタボタン９などによる撮影開始指示入力に応じて行われる。
【００３０】
具体的には、ファンクション操作部１１のファンクションダイヤル１１ｂを回転させて、撮影モードにおける各種の撮影形態（連続撮影、セルフタイマー、ブラケット撮影）を設定するための「ドライブモード」の選択肢を選択し（図５（ａ）参照）、ファンクションボタン１１ａを押しながら前ダイヤル１０を回して、ブラケット撮影を行う旨の選択肢を選択する。この際、操作者は、現在いずれの選択肢が選択されているかを、データパネル８での表示により確認することができる。その後、デジタルエフェクトレバー１４ｂを用いて「構図」の選択肢（図５（ａ）参照）を選択する。これによって、構図を少しずつ変更しながら複数の画像を取得するブラケット撮影（「構図ブラケット撮影」とも称する）を行う旨を設定すること（言い換えれば、撮影モードとして構図ブラケット撮影を設定すること）ができる。なお、このデジタルエフェクトレバー１４ｂを用いて、他の選択肢を選択することによれば、他の種類のブラケット撮影（たとえば、露出補正、コントラスト、彩度などに関するブラケット撮影）を行うこともできる。
【００３１】
さらに、デジタルカメラ１の側面には、挿抜自在（着脱自在）な記録媒体であるメモリカード９０の挿入装着部が設けられており、本撮影によって得られる画像データはこの挿入装着部にセットされるメモリカード９０に記録される。
【００３２】
次に、デジタルカメラ１の内部構成について説明する。図４は、デジタルカメラ１の内部機能を示すブロック図である。
【００３３】
撮影レンズ（撮影光学系）２はレンズ駆動部４１によって駆動され、ＣＣＤ撮像素子２０に結像される像の合焦状態を変化させるように構成される。自動合焦（オートフォーカス）設定時には全体制御部３０において画像から自動的に撮影レンズ２のレンズ駆動量が決定され、このレンズ駆動量に基づいて撮影レンズ２が駆動されるのに対し、手動合焦（マニュアルフォーカス）設定時にはユーザによるコントロールボタン７の操作量に応じてレンズ駆動量が決定され、このレンズ駆動量に基づいて撮影レンズ２が駆動される。
【００３４】
また、撮影レンズ２は、上述したように光学ズーム機能をも有しており、撮影レンズ２のうち、焦点距離の調節機能を有するレンズ（以下、単に「ズームレンズ」とも称する）の位置を移動させることによって、撮影時の倍率を調整すること（言い換えれば、撮影時の画角を調整すること）ができる。
【００３５】
ＣＣＤ撮像素子２０は被写体像を撮影して電子的な画像信号を生成する撮像手段として機能するものであり、例えば２５６０×１９２０個の画素を有し、撮影レンズ２によって結像された被写体の光像を、画素毎にＲ（赤），Ｇ（緑），Ｂ（青）の色成分の画像信号（各画素で受光された画素信号の信号列からなる信号）に光電変換して出力する。タイミングジェネレータ４２は、ＣＣＤ撮像素子２０の駆動を制御するための各種のタイミングパルスを生成するものである。
【００３６】
ＣＣＤ撮像素子２０から得られる画像信号は信号処理回路２１に与えられ、信号処理回路２１において画像信号（アナログ信号）に対して所定のアナログ信号処理が施される。信号処理回路２１は相関二重サンプリング回路（ＣＤＳ）とオートゲインコントロール回路（ＡＧＣ）とを有しており、相関二重サンプリング回路により画像信号のノイズ低減処理を行い、オートゲインコントロール回路でゲインを調整することにより画像信号のレベル調整を行う。
【００３７】
Ａ／Ｄ変換器２２は、画像信号の各画素信号を１２ビットのデジタル信号に変換するものである。Ａ／Ｄ変換器２２は、全体制御部３０から入力されるＡ／Ｄ変換用のクロックに基づいて各画素信号（アナログ信号）を１２ビットのデジタル信号に変換する。変換後のデジタル信号は、画像データとして一時的に画像メモリ４４に格納される。そして、画像メモリ４４に保存された画像データに対して、次述するＷＢ回路２３、γ補正回路２４、色補正部２５、解像度変換部２６、圧縮・伸張部４６などによる各処理が施される。また、各処理後の画像データは、各処理の内容に応じて、再度画像メモリ４４に再格納されるか、あるいは、別の処理部に対して転送される。
【００３８】
ＷＢ（ホワイトバランス）回路２３は、Ｒ，Ｇ，Ｂの各色成分のレベル変換を行うものである。ＷＢ回路２３は、全体制御部３０で記憶されるレベル変換テーブルを用いてＲ，Ｇ，Ｂの各色成分のレベルを変換する。なお、レベル変換テーブルの各色成分のパラメータ（特性の傾き）は全体制御部３０により、オートまたはマニュアルで、撮影画像毎に設定される。γ補正回路２４は、画素データの階調を補正するものである。
【００３９】
色補正部２５は、γ補正回路２４から入力される画像データに対し、ユーザから設定された色補正に関するパラメータに基づいて色補正を行うとともに、ＲＧＢ色空間で表現されたカラー情報をＹＣｒＣｂ色空間で表現されたカラー情報に変換する。この表色系変換により、全画素について輝度成分値Ｙが得られることになる。
【００４０】
解像度変換部２６は、ＣＣＤ撮像素子２０から得られる画像データに対して所定の解像度変換を行うものである。
【００４１】
例えばライブビュー表示時にはＣＣＤ撮像素子２０から取得される画像データに対して、解像度変換部１６が所定の解像度変換を施し、ＬＣＤ５の表示画素数に適合した画像サイズの画像データ（３２０×２４０画素）、すなわちライブビュー画像を生成する。また、自動合焦時には、ライブビュー表示時とは異なり、ＡＦ評価領域に対応する画像成分の抽出が行われる。なお、本撮影時には、解像度変換部２６は、比較的高い解像度の画像データを全体制御部３０を介して画像メモリ４４に格納することになる。
【００４２】
ライブビュー表示時には、解像度変換部２６によって所定の解像度変換が施された画像データは、全体制御部３０を介して画像合成部４３に与えられ、ＬＣＤ５及びＥＶＦ４に対してライブビュー画像の表示が行われるとともに、測光演算部２８にも与えられ、自動露出（ＡＥ）制御用の評価値が算出される。これに対し、自動合焦制御時には、全体制御部３０から指定されるＡＦ評価領域に対応する画像成分が抽出され、その画像成分の画像データがＡＦ評価値演算部２７に与えられ、自動合焦（ＡＦ）制御用の評価値が算出される。
【００４３】
ＡＦ評価値演算部２７はユーザによってシャッタボタン９が半押し状態とされた場合に機能し、コントラスト方式の自動合焦制御を行うための評価値演算動作が行われる。ここでは、ＡＦ評価領域に対応する画像成分について水平方向に隣接する２画素間での差分絶対値の総和がＡＦ用評価値として算出される。そしてＡＦ評価値演算部２７において算出されるＡＦ用評価値は全体制御部３０へと出力され、自動合焦制御が実現される。
【００４４】
測光演算部２８は、解像度変換部２６から出力される画像データを複数のブロックに分割し、各ブロックの代表輝度値に基づいてＡＥ用評価値を算出する。そして測光演算部２８において算出されるＡＥ用評価値は全体制御部３０へと出力され、全体制御部３０における自動露光制御に用いられる。
【００４５】
画像メモリ４４は、本撮影時にＣＣＤ撮像素子２０で取得され、上記の画像処理が施された画像データを一時的に記憶するメモリである。画像メモリ４４は、例えば数フレーム分の記憶容量を有している。そして本撮影後に画像のアフタービュー等が行われる場合には、画像メモリ４４から画像合成部４３に画像データが与えられ、撮影画像を確認するための画像表示が行われる。また、撮影後においては、画像メモリ４４からメモリカード９０に対して画像データが転送され、画像データの記録保存が行われる。
【００４６】
カードインタフェース（カードＩ／Ｆ）４７は、デジタルカメラ１側面の挿入装着部に対して装着されるメモリカード９０への画像データの書込み及び読出しを行うためのインタフェースである。メモリカード９０に対する画像データの読み書き時には、圧縮・伸張部４６において例えばＪＰＥＧ方式で画像データの圧縮処理又は伸張処理が行われる。また、外部接続インタフェース（外部接続Ｉ／Ｆ）４８は通信ケーブル等を介して外部コンピュータ９１と通信可能にするためのインタフェースであり、例えばＵＳＢ規格に準拠した通信用インタフェース等で実現される。これらカードＩ／Ｆ４７、外部接続Ｉ／Ｆ４８を介して、メモリカード９０や外部コンピュータ９１にセットされるＣＤ−ＲＯＭ等の記録媒体に記録される制御プログラムを、全体制御部３０のＲＡＭ３０ａ又はＲＯＭ３０ｂ内に取り込むことができる。そして全体制御部３０においてそのプログラムが実行されることにより、各種機能が実現される。
【００４７】
操作部４５は、上述したダイヤル３、メニューボタン６、コントロールボタン７、シャッタボタン９、ファンクション操作部１１、合焦モード切替ボタン１２、切替ボタン１３等を含む操作部であり、ユーザがデジタルカメラ１の設定状態を変更操作する際や撮影操作を行う際等に用いられる。
【００４８】
また、リアルタイムクロック４９は、いわゆる時計部である。リアルタイムクロック４９の計時機能により、デジタルカメラ１は現在時刻を認識することができる。
【００４９】
さらに、デジタルカメラ１は電池５１を駆動源としている。電池５１としては、例えば直列接続された４本の単三形乾電池を用いることができる。そして、電池５１からデジタルカメラ１内の各処理部への電力供給は、電力制御部５２によって制御される。
【００５０】
全体制御部３０は内部にＲＡＭ３０ａ及びＲＯＭ３０ｂを備えたマイクロコンピュータによって構成され、マイクロコンピュータが所定のプログラムを実行することにより、上記各部を統括的に制御する制御手段として機能する。なお、ＲＯＭ３０ｂは電気的にデータの書き換えが可能な不揮発性メモリである。
【００５１】
撮影モード時において、全体制御部３０はＣＣＤ撮像素子２０を駆動する駆動方式をタイミングジェネレータに指令する。特に、ユーザがシャッタボタン９を操作していないときには、全体制御部３０はライブビュー画像を取得するためにＣＣＤ撮像素子２０での撮影動作を繰り返すようにタイミングジェネレータに指令する。これによってＣＣＤ撮像素子２０ではライブビュー表示用の撮影画像（ライブビュー画像）が取得される。
【００５２】
＜Ａ２．構図ブラケット撮影＞
ここで、構図ブラケットモードの概要について、図６〜図８を参照しながら説明する。
【００５３】
図６〜図８は、被写体Ｂの撮影領域（撮影範囲）を示す図である。図６は、たとえば、撮影レンズ２の焦点距離が３１ｍｍのときの撮影領域Ｒ０を示す図である。
【００５４】
被写体Ｂの構図（フレーミングともいう）に関して、操作者が、図６のような構図を決断したとしても、そのような構図が最適であるとは限らない。たとえば、図８に示すように、撮影領域Ｒ０よりも少し左上側にずれた領域Ｒ２を撮影領域とする方が好ましい場合がある。あるいは、図９に示すように、撮影領域Ｒ０よりも少し右下側にずれた領域Ｒ３を撮影領域とする方が好ましい場合もある。
【００５５】
そこで、ここでは一度のシャッタボタン９の押下による撮影において、これらの領域Ｒ０，Ｒ２，Ｒ３のそれぞれを撮影範囲とする３枚の画像を取得する。
【００５６】
具体的には、この第１実施形態においては、一旦、焦点距離を短くして（すなわちズームレンズの位置をワイド側に移動させて）その画角が比較的広い画像（比較的広角側の画像）を取得し、取得した画像からその一部を抽出する（切り出す）ことによって、元の画角と同一画角の画像を生成する。
【００５７】
たとえば、シャッタボタン９の押下時において撮影者が撮影レンズ２の焦点距離を３１ｍｍに設定している場合には、図７に示すように、撮影レンズ２の焦点距離を広角側の２８ｍｍに変更して、領域Ｒ１をその撮影領域として撮影する。このとき、全画素を有効に利用するため、領域Ｒ１がＣＣＤ撮像素子２０全域に対応することが好ましい。
【００５８】
そして、広角側の焦点距離（２８ｍｍの焦点距離）で取得された画像（領域Ｒ１に対応）の中から、トリミングを行うことによって、領域Ｒ０を抽出した画像と領域Ｒ２を抽出した画像と領域Ｒ３を抽出した画像とを生成する。
【００５９】
ここで、領域Ｒ０，Ｒ２，Ｒ３を抽出した画像は、いずれも、撮影者による撮影開始指示時点（シャッタボタン９の押下時点）の焦点距離（３１ｍｍ）における画角と同一画角を有している。言い換えれば、各領域Ｒ０，Ｒ２，Ｒ３は、指示時点の焦点距離で撮影される画像の画角（言い換えれば、指示時点のレンズ位置における画角）に対応する大きさを有している。ただし、その一方で、領域Ｒ０，Ｒ２，Ｒ３は、領域Ｒ１内での位置が互いに相違している。具体的には、領域Ｒ０は、領域Ｒ１の中央に位置しており、領域Ｒ２は、領域Ｒ１の中央から少し左上側にずれており、領域Ｒ３は、領域Ｒ１の中央から少し右下側にずれている。したがって、領域Ｒ０，Ｒ２，Ｒ３を抽出した画像は、互いにその構図が異なることになる。
【００６０】
このようにして、その構図が異なる３枚の画像を取得することができる。これが、構図ブラケット撮影の概要である。この構図ブラケット撮影によれば、撮影者は、異なる構図の複数の画像の中から最適なものを選択することが可能になる。したがって、構図ミスによる撮影失敗を最小限に止めることができる。また、図８に示すように、領域Ｒ２は領域Ｒ０から「はみ出した」部分を有しているため、領域Ｒ２を抽出した画像の構図は、領域Ｒ０の一部分を抽出することでは得られない独自のものである。したがって、領域Ｒ０に対応する画像から手動でトリミングして抽出する場合に比べて、さらにバラエティに富んだ構図を得ることができる。領域Ｒ３についても同様である。
【００６１】
なお、ここでは、構図ブラケットモードにおける撮影枚数が３枚の場合について説明したが、これに限定されない。たとえば、次述するように、５枚または９枚などの所定の枚数を一度の撮影動作で取得するようにしてもよい。
【００６２】
＜Ａ３．動作＞
＜撮影時の動作＞
つぎに、撮影モードとして構図ブラケットモードが設定されている場合のデジタルカメラ１の動作について、図１０および図１１などを参照しながら、さらに詳細に説明する。図１０および図１１は、構図ブラケット撮影におけるデジタルカメラ１の動作を示すフローチャートである。このフローチャートは、メインルーチンから所定の時間間隔（たとえば、数ミリ秒から数十ミリ秒間隔）で呼び出されるサブルーチンとして記載されている。これらのルーチンは、全体制御部３０の制御下において実行される。なお、ここでは、上述したような構図ブラケットモードへの設定操作が既に行われているものとする。
【００６３】
図１０に示すように、まずステップＳＰ１において、シャッタボタン９が半押し状態Ｓ１にされたか否かが判定される。半押し状態Ｓ１になっていると判定された場合には、ステップＳＰ２に進む。一方、半押し状態Ｓ１になっていないと判定された場合には、このサブルーチンを一旦終了する。なお、その後、再びサブルーチンが実行されると、このステップＳＰ１が再度実行される。
【００６４】
ステップＳＰ２においては、現在の焦点距離が検出される。言い換えれば、現在のズームレンズの位置Ｘｐ（図１４参照）が検出される。これにより、撮影開始の指示入力がなされた時点、すなわちシャッタボタン９が半押し状態Ｓ１にされた時点でのズームレンズのレンズ位置が取得される。この位置は、操作者による設定位置であるともいえる。
【００６５】
ステップＳＰ３においては、現在のレンズ位置Ｘｐがワイド端付近であるか否かが判定される。具体的には、レンズ位置Ｘｐがワイド端の位置Ｘｗから所定の微小範囲内にあるときには、ワイド端付近にあるものとみなす。
【００６６】
ここでは、ワイド端付近であるか否かを判定するための微小範囲を、後述するブラケット範囲に応じて変更する場合について説明する。
【００６７】
より詳細には、後述するブラケット範囲が比較的「広い範囲」に設定されているときには、現在位置Ｘｐがワイド端の位置Ｘｗから位置Ｘｗ１（図１４（ａ）参照）までの範囲ＲＮ１に存在すれば（位置ＸｐがＸｗ１よりもワイド側にあれば）、ワイド端付近であると判定する。ここで、位置Ｘｗは、焦点距離が２８ｍｍとなるときのレンズ位置であり、位置Ｘｗ１は、焦点距離が３１．１ｍｍ（＝２８．０／０．９）となるときのレンズ位置である。
【００６８】
また、後述するブラケット範囲が比較的「狭い範囲」に設定されているときには、現在位置Ｘｐがワイド端の位置Ｘｗから位置Ｘｗ２（図１４（ｂ）参照）までの範囲ＲＮ２に存在すれば（位置ＸｐがＸｗ２よりもワイド側にあれば）、ワイド端付近であると判定する。ここで、位置Ｘｗ２は、焦点距離が２９．５ｍｍ（＝２８．０／０．９５）となるときのレンズ位置である。
【００６９】
後述するように、ステップＳＰ１２またはステップＳＰ１３において、ズームレンズの焦点距離が所定倍（０．９倍または０．９５倍）され広角側に移動されることになる。しかしながら、ズームレンズのレンズ位置Ｘｐが既にワイド端付近である場合には、意図する程度に広角側へと移動することができないことになるため、構図ブラケット撮影を良好に行うことが困難になる。そこで、この実施形態においては、このような場合には、構図ブラケット撮影自体を禁止し、構図ブラケット撮影を行うことなく通常の撮影動作を行うものとする。
【００７０】
たとえば、レンズ位置Ｘｐがワイド端Ｘｗのときには、ズームレンズのレンズ位置Ｘｐ（＝Ｘｗ）を変更することなくそのままの位置でＣＣＤ撮像素子２０による画像が取得され、その画像が撮影画像として記録される。このように、ワイド端では原理的に実現困難な構図ブラケット撮影を禁止した上で、通常の撮影を行うことができる。したがって、撮影者の混乱を防止できる。
【００７１】
そのため、ステップＳＰ３において分岐処理が行われる。具体的には、ステップＳＰ３において、現在のレンズ位置Ｘｐがワイド端付近であると判定される場合には、ステップＳＰ４に進む。一方、ステップＳＰ３において、現在のレンズ位置Ｘｐがワイド端付近でないと判定される場合には、ステップＳＰ１１に進む。
【００７２】
ここでは、まず、ステップＳＰ４に進んだ場合について説明する。
【００７３】
ステップＳＰ４においては、警告表示がＬＣＤ５に表示される。警告表示としては、たとえば、図１２に示すような警告表示画面Ｇ１が表示される。画面Ｇ１においては、「ワイド端付近では構図ブラケットできません」との警告が表示されている。これにより、撮影者は構図ブラケット撮影が実行不可能であることを認識できる。なお、ここでは、画面Ｇ１による警告を例示しているが、これに限定されず、音声情報による警告を行うようにしてもよい。
【００７４】
ステップＳＰ５においては、自動露光制御（ＡＥ制御）、オートフォーカス制御（ＡＦ制御）、オートホワイトバランス制御（ＡＷＢ制御）が行われる。
【００７５】
その後、ステップＳＰ６において、シャッタボタン９が全押し状態Ｓ２にされたことが判定されると、ステップＳＰ７（図１１）に進む。ステップＳＰ７では１コマ（１枚）の撮影処理が行われ、その後、ステップＳＰ８で記録処理が行われる。これにより、１枚の撮影画像がメモリカード９０に格納される。
【００７６】
つぎに、上述のステップＳＰ３からステップＳＰ１１に進んだ場合、すなわち構図ブラケット撮影を行う場合について説明する。
【００７７】
ステップＳＰ１１においては、ブラケット範囲が「広い範囲」および「狭い範囲」のいずれに設定されているかを確認する。
【００７８】
ここで、ブラケット範囲は、図１３に示すような画面Ｇ２を用いることによって設定される。この画面Ｇ２は、メニューボタン６及びコントロールボタン７を用いることによって、ＬＣＤ５（またはＥＶＦ４）に表示される。操作者は、ＬＣＤ５などに表示された画面Ｇ２において、２つの選択肢「広い範囲」および「狭い範囲」のうちの所望の選択肢を、「ブラケット範囲」の大きさの程度（すなわち広さ）を示す設定値として選択することができる。このような設定動作は、この撮影動作を行う前に予め行われる。また、設定動作が行われていない場合には、初期値（デフォルト値）として予め定められている設定値に基づいて判定される。
【００７９】
ステップＳＰ１１においては、このブラケット範囲に関する設定値を判定し、「広い範囲」に設定されているときにはステップＳＰ１２に進み、「狭い範囲」に設定されているときにはステップＳＰ１３に進む。
【００８０】
ステップＳＰ１２においては、広角側画像を撮影できるように、広角側のレンズ位置へとズームレンズを駆動する。具体的には、図１４（ａ）に示すように、レンズ駆動部４１内のズームモータを用いた駆動により、操作者の手動操作により指定された現在のレンズ位置Ｘｐを０．９０倍した値の位置Ｘａ１に、ズームレンズを移動する。たとえば、位置Ｘｐ＝５０．０ｍｍのときには、位置Ｘａ１＝４５．０ｍｍとなる。なお、ズームレンズのレンズ位置Ｘは、ズームレンズの焦点距離で表現するものとする。また、図１５は、ズームレンズが位置Ｘａ１に移動したときの撮影範囲Ｒ１０と、ズームレンズが移動前の位置Ｘｐに存在するときの撮影範囲Ｒ１１との関係を示す図である。
【００８１】
また、ステップＳＰ１３においても、広角側画像を撮影できるように、広角側のレンズ位置へとズームレンズを移動させる。ただし、このステップＳＰ１３における移動後のレンズ位置による撮影範囲Ｒ１２は、ステップＳＰ１２における移動後の撮影範囲Ｒ１０よりも狭い範囲となっている。
【００８２】
具体的には、図１４（ｂ）に示すように、レンズ駆動部４１内のズームモータを用いた駆動により、現在のレンズ位置Ｘｐを０．９５倍した値の位置Ｘａ２に、ズームレンズを移動する。たとえば、位置Ｘｐ＝５０．０ｍｍのときには、位置Ｘａ２＝４７．５ｍｍとなる。
【００８３】
図１６は、ズームレンズが位置Ｘａ２に移動したときの撮影範囲Ｒ１２と、ズームレンズが移動前の位置Ｘｐに存在するときの撮影範囲Ｒ１１との関係を示す図である。また、図１６に示されるように、撮影範囲Ｒ１２は、撮影範囲Ｒ１１よりは広い範囲であるが、撮影範囲Ｒ１０よりも狭い範囲となっている。
【００８４】
このように、撮影範囲Ｒ１２は撮影範囲Ｒ１０よりも狭い。そして、撮影範囲Ｒ１２と撮影範囲Ｒ１１との広さの差は、影範囲Ｒ１０と撮影範囲Ｒ１１との広さの差よりも少ない。したがって、撮影範囲Ｒ１２から撮影範囲Ｒ１１を抽出する場合の方が、撮影範囲Ｒ１０から撮影範囲Ｒ１１を抽出する場合に比べて、被トリミング領域（切り取られる領域、すなわち範囲Ｒ１１の外側の領域）に対応する画素の数が少なく、抽出された撮影範囲Ｒ１１に対応する画素の数が大きくなる。したがって、撮影範囲Ｒ１２から撮影範囲Ｒ１１を抽出した画像は、撮影範囲Ｒ１０から撮影範囲Ｒ１１を抽出した画像に比べて、高画質の画像になる。なお、後述する領域Ｒ２２，Ｒ２３，Ｒ２４，Ｒ２５を抽出した画像についても同様である。このように、「ブラケット範囲」として「狭い範囲」が選択されている場合には、比較的高画質の画像を取得することができる。
【００８５】
一方、「ブラケット範囲」として「広い範囲」が選択されている場合には、複数の画像を抽出する際に対象となる抽出領域の最大範囲が比較的広い範囲であるため、構図の変化が比較的大きな複数の画像を得ることが可能になる。
【００８６】
なお、「ブラケット範囲」は、広角画像から複数の画像を抽出する際に対象となる抽出領域の最大範囲（最大対象範囲）であるとも表現できる。ここで、「広角画像」とは、ステップＳＰ１２（またはステップＳＰ１３）で撮影レンズ２を広角側に移動させた後にステップＳＰ２０で取得される画像をいうものとする。
【００８７】
以下では、「ブラケット範囲」の設定値として「広い範囲」の選択肢が選択されている場合を中心に説明を続ける。
【００８８】
ステップＳＰ１４においては、ライブビューにおける拡大率を変更する。これにより、シャッタボタン９が半押し状態Ｓ１に押下される前後でライブビューとしてＬＣＤ５に表示される被写体範囲が変わらないようにすることができる。この動作について説明する。
【００８９】
ステップＳＰ１２（またはステップＳＰ１３）におけるレンズ移動に応じて、ＣＣＤ撮像素子２０で撮像される撮影画像はより広角側の画像になっている。そのため、仮にそのままライブビュー表示を継続すると、ライブビュー画像は、撮影者が指示した画角よりも広角の画像となってしまう。この場合、レンズ移動に応じて広角側の画像が突然表示されるため、撮影者は、ライブビュー表示における倍率が突然小さくなったと感じ、不自然な印象を受けることになる。
【００９０】
ライブビュー表示においては、このような画角の突然の変化を避けることが好ましい。そのため、ここではライブビュー画像をステップＳＰ１２（またはステップＳＰ１３）での変倍率に応じて拡大して表示することとする。具体的には、ステップＳＰ１２（またはステップＳＰ１３）におけるレンズ位置の変更後に取得したＣＣＤ撮像素子２０による撮像画像から、その中央部の領域Ｒ１１の画像を抽出し、抽出した画像をＬＣＤ５の表示画面の大きさに合わせて拡大して表示する。このとき、その拡大率は、領域Ｒ１１がＬＣＤ５のライブビュー表示における全体領域に表示されるような値として決定される。言い換えれば、この拡大率は、シャッタボタン９が半押し状態Ｓ１に押下される前後でＬＣＤ５に表示される被写体の大きさが変わらないような値として決定される。この結果、ライブビュー画像としては、図１７に示すように、領域Ｒ１１を全範囲とする画像Ｇ３が引き続き表示されることになり、ライブビューにおける被写体の大きさは指示入力前後で変化しない。したがって、ライブビューを見ている撮影者に違和感を与えずに済むことになる。
【００９１】
ステップＳＰ１５では、測光動作、測色動作、およびＡＦ動作を行う。測光動作においては、領域Ｒ１０（またはＲ１２）の範囲の全体にわたるデータを用いて測光値の算出動作が行われる。測色動作においても同様であり、測色動作においては、領域Ｒ１０（またはＲ１２）の範囲の全体にわたるデータを用いて測色値の算出動作が行われる。
【００９２】
この構図ブラケット撮影で取得される複数の画像においては、露出条件およびホワイトバランスを変更しないことが好ましい。言い換えれば、同一の露出条件（または同一のホワイトバランス）で撮影され且つ異なる構図を有する複数の画像が取得されることが好ましい。これによれば、構図以外の少なくとも１つの条件（たとえば露出条件）に影響されることなく、最も良い構図の画像を選択することができるからである。
【００９３】
そして、そのような共通の（同一の）露出条件およびホワイトバランスを決定するにあたっては、領域Ｒ１０内での位置がその一部に偏った領域のデータを用いるのではなく領域Ｒ１０（またはＲ１２）の範囲の全体にわたるデータを用いることが好ましい。これによれば、特定の構図（あるいは特定の領域）への依存性が緩和された露出条件およびホワイトバランスを決定することができるからである。また、これによれば、複数の画像についての露出条件およびホワイトバランスを一度に決定することができる。すなわち、露出条件およびホワイトバランスを全体として最適化するための測光値および測色値を一度に求めることができる。
【００９４】
ステップＳＰ１６では、ＡＥ動作が行われる。具体的には、ステップＳＰ１５での測光動作における測光値に基づいて、露出制御パラメータ（シャッタスピード、絞り、ゲイン）の値が決定される。そして、露出制御パラメータがその値でロックされる。ステップＳＰ２０においては、この露出制御パラメータの値で撮像処理が行われる。
【００９５】
ステップＳＰ１７では、オートホワイトバランス動作（ＡＷＢ動作）が行われる。具体的には、ステップＳＰ１５での測色動作における測色値に基づいて、ホワイトバランスを補正するＡＷＢ補正パラメータの値が決定される。そして、ＡＷＢ補正パラメータがその値でロックされる。ステップＳＰ２０においては、このＡＷＢ補正パラメータの値でホワイトバランスが調整されて撮像処理が行われる。
【００９６】
ステップＳＰ１８では、ステップＳＰ１５でのオートフォーカス動作に応じたフォーカス位置が、ステップＳＰ２０の撮像動作におけるフォーカス位置として決定される。そして、フォーカス位置がロックされる。
【００９７】
ステップＳＰ１９では、シャッタボタン９が全押し状態Ｓ２にされたか否かが判定される。シャッタボタン９が所定時間内に全押し状態Ｓ２にされていないと判定されるとステップＳＰ１に戻って上述の処理を繰り返す。一方、シャッタボタン９が全押し状態Ｓ２にされていると判定されると、ステップＳＰ２０に進む。
【００９８】
ステップＳＰ２０においては、撮像処理が行われる。具体的には、１回の露光動作による１枚の撮影画像が取得される。このとき、撮影レンズ２のレンズ位置は位置Ｘａ１（またはＸａ２）に変更されており、撮影パラメータ（具体的には、露出制御パラメータ、ＡＷＢ補正パラメータ、およびフォーカス位置）はそれぞれステップＳＰ１６，ＳＰ１７，ＳＰ１８で設定された値になっている。この撮像処理による画像は、領域Ｒ１０を全範囲とする画像として取得され、画像メモリ４４に一旦格納される。
【００９９】
ステップＳＰ２１においては、１回の構図ブラケット撮影における撮影枚数（「ブラケット撮影枚数」とも称する）が「５枚」および「９枚」のいずれに設定されているかを確認する。
【０１００】
ここで、ブラケット撮影枚数は、上述したような画面Ｇ２（図１３）を用いることによって設定される。操作者は、ＬＣＤ５などに表示された画面Ｇ２において、２つの選択肢「５枚」および「９枚」のうちの所望の選択肢を、「（ブラケット）撮影枚数」の設定値として選択することができる。このような設定動作は、この撮影動作を行う前に予め行われる。また、設定動作が行われていない場合には、初期値（デフォルト値）として予め定められている設定値に基づいて判定される。
【０１０１】
このように、ブラケット撮影枚数およびブラケット範囲を、操作者の選択により変更すること（設定すること）ができるので、より多様な要求に応えることが可能になる。
【０１０２】
そして、ステップＳＰ２１においては、この撮影枚数に関する設定値を判定し、「５枚」に設定されているときにはステップＳＰ２２に進み、「９枚」に設定されているときにはステップＳＰ２３に進む。
【０１０３】
ステップＳＰ２２においては、画像メモリ４４に格納された撮影画像から、異なる構図の５枚の画像が抽出される。一方、ステップＳＰ２３においては、画像メモリ４４に格納された撮影画像から、異なる構図の９枚の画像が抽出される。
【０１０４】
具体的には、ステップＳＰ２２においては、画像メモリ４４に格納されていた撮影画像（広角画像）から、中央の領域Ｒ２１（図１８）、左上の領域Ｒ２２（図１９）、右上の領域Ｒ２３（図２０）、右下の領域Ｒ２４（図２１）、左下の領域Ｒ２５（図２２）、をそれぞれその全範囲とする５枚の画像を抽出する。これらの各領域Ｒ２１〜Ｒ２５の画像は、いずれもレンズ位置（操作者によって指定されたレンズ位置）Ｘｐに対応する画角と同一の画角を有している一方で、ステップＳＰ２０での撮影画像内での位置が違いに異なる。すなわち、撮影者による指定倍率で撮影され且つその構図が互いに異なる複数の画像が生成されることになる。そして生成された画像は、順次に所定の圧縮形式（ＪＰＥＧ方式など）による圧縮処理が施されて、メモリカード９０に格納される。
【０１０５】
なお、抽出された５枚の画像は、共通の被写体領域を有する状態（その撮影範囲が重なった状態）で取得されている。具体的には、図２３に示すように、領域Ｒ２６（太枠で示される領域）が、これらの５枚の画像に共通する被写体領域である。領域Ｒ２６は、５つの領域Ｒ２１，Ｒ２２，Ｒ２３，Ｒ２４，Ｒ２５の重複部分である。この場合、５枚の画像は共通の被写体領域Ｒ２６を有する状態で取得される。したがって、共通の被写体領域Ｒ２６に主要な被写体を収めれば、その主要な被写体を含む異なる構図の複数の画像を得ることができる。言い換えれば、主要被写体を含む異なる構図の複数の画像をより確実に得ることが可能になる。特に、主要な被写体は中央付近に配置されることが多いので、上記のように共通領域が広角画像の中央領域を含むようにすれば、より確実に主要被写体を含む複数の画像を得ることが可能になる。
【０１０６】
また、ステップＳＰ２３においては、同様にして、異なる構図の９枚の画像が撮影される。
【０１０７】
ステップＳＰ２４においては、撮影終了に伴い、上記で決定されていた各種の撮影パラメータのロックを解除する。その後、このサブルーチンを終了し、メインルーチンに戻る。
【０１０８】
＜記録状態＞
上記の構図ブラケット撮影で撮影された複数の画像は、次のような名称を付されたファイル（画像ファイル）として、メモリカード９０に格納される。
【０１０９】
図２４は、構図ブラケット撮影でない場合の名称付与ルールを説明する図である。図２４に示されるように、構図ブラケット撮影以外の画像ファイルについては、通常の画像であることを示す４つの文字「Ｐｉｃｔ」が前半の４文字として付与される。また、後半の４文字としては、構図ブラケット撮影による画像か否かに依拠せず、撮影順の通し番号が付与される。
【０１１０】
また、図２５は、構図ブラケット撮影の場合の名称付与ルールを説明する図である。図２５に示されるように、構図ブラケット撮影による画像ファイルについては、構図ブラケット撮影であることを示す２つの文字「Ｆｂ」が最初の２文字として付与され、次の２文字として、構図ブラケットにおける広角画像内での位置を示す符号が付与される。具体的には、中央の画像に対しては「ｃｃ」が付与され、左上の画像に対しては「ｌａ」が付与され、右上の画像に対しては「ｒａ」が付与され、右下の画像に対しては「ｒｂ」が付与され、左下の画像に対しては「ｌｂ」が付与される。また、後半の４文字としては、構図ブラケット撮影による画像か否かに依拠せず、撮影順の通し番号が付与される。
【０１１１】
このような名称付与ルールにしたがって名称が付与される。たとえば、通常撮影で７枚の画像を取得した場合には、図２６に示すような名称の画像ファイルが上から順に生成される。また、通常撮影で１枚の画像を取得した後、１回の構図ブラケット撮影により５枚の画像を取得し、さらに通常撮影で１枚の画像を取得した場合には、図２７に示すような名称の画像ファイルが上から順に生成される。
【０１１２】
各画像ファイルは、Ｅｘｉｆ形式に準拠しており、上記において取得された高解像度の画像データに加えて、そのサムネイル画像およびタグ情報をも併せて記録している。ここでは、この高解像度データはＪＰＥＧ形式で圧縮されており、Ｅｘｉｆ形式のファイルの拡張子はＪＰＥＧ形式を表す”ｊｐｇ”として付与されている。
【０１１３】
図２８は、１枚の画像に関する画像ファイルの構造を示す図である。メモリカード９０の記憶領域の先頭には、インデックス情報を記録する領域が設けられ、その後の領域に各画像ファイルが撮影された順に記録される。メモリカード９０における各画像ファイルの記憶領域は３つの領域からなり、先頭領域から順にタグ情報、圧縮された画像データ（高解像度データ）およびサムネイル画像が記録される。図２８に示すように、タグ情報には、撮影条件（構図ブラケット）が記載されている。撮影条件としては、構図ブラケット撮影による撮影画像であること、構図ブラケットにおける撮影順序（「１／５」）、構図ブラケットにおける構図の位置関係（「左上」）、ブラケット範囲（「広い」）、等の情報が記載されている。ここで、構図の位置関係は、基準となる構図（操作者が指定した構図）に対する相対的な位置として表現されている。このように、構図ブラケット撮影により取得された複数の画像が、その構図の位置関係を示す情報とともに記録されるので、後に行われる画像の選別あるいは整理が容易になる。
【０１１４】
また、図には示していないが、カメラ機種名、撮影日、シャッタースピード、絞り値、フラッシュの発光の有無などの各種の情報も併せて記載される。後述するように、デジタルカメラ１は、画像の再生時において、これらの情報を参照し、その情報内容に応じた再生処理を行う。
【０１１５】
なお、上記においては、５枚の画像を取得する場合について説明したが、９枚の画像を取得する場合には、好ましくは、図２９に示すような順序で抽出された９枚の画像に対応する９つの画像ファイルが、広角側画像内での位置を明示するファイル名称が付与された状態で記録される。
【０１１６】
具体的には、中央の画像（ｃｃ）、左上の画像（ｌａ）、上側中央の画像（ｃａ）、右上の画像（ｒａ）、中央右側の画像（ｒｃ）、右下の画像（ｒｂ）、下側中央の画像（ｃｂ）、左下の画像（ｌｂ）、中央左側（ｌｃ）の画像がこの順序でメモリカード９０内において記録される。なお、それぞれの画像に対しては直後の括弧内の名称が、撮影位置を示す文字としてファイル名の３文字目と４文字目に付与される。
【０１１７】
＜再生時の動作＞
上記においては、デジタルカメラ１の撮影モードにおける動作について説明したが、以下では、デジタルカメラ１の再生モードにおける動作について説明する。
【０１１８】
再生モードにおいては、通常撮影による撮影画像に加えて、上記の構図ブラケット撮影による撮影画像をも再生することができる。
【０１１９】
また、この再生モードにおいては、通常撮影で撮影された撮影画像に基づいて、互いに異なる構図を有する複数の画像を自動的に生成して記録することができる。これによれば、その構図が異なる複数の画像を容易に得ることが可能である。
【０１２０】
図３０は、再生モードにおける動作を示すフローチャートである。
【０１２１】
図３０に示すように、まず、ステップＳＰ３１において、最も新しく撮影された画像ファイル（直近の撮影画像の画像ファイル）を再生対象画像としてメモリカード９０から読み出す。上述したように、ファイル名称の５文字目から８文字目までの４桁の番号が通し番号を表しているのて、この４桁の番号が最も大きなファイルが最新の画像ファイルとして読み出されることになる。
【０１２２】
次のステップＳＰ３２においては、全体制御部３０の制御下において、圧縮・伸張部４６が、再生対象画像の画像データをその圧縮形式に応じて伸張して画像メモリ４４に展開する。その後、画像合成部４３は、画像メモリ４４に展開（格納）されたデータに基づいて、再生対象画像を図３１に示すようにＬＣＤ５に表示させる。このとき、画像合成部４３は、再生対象画像の上側領域Ｕ１に、画像番号（「０００３」）を表示する。
【０１２３】
ステップＳＰ３３において、全体制御部３０は、その再生対象の画像が構図ブラケット撮影による画像か否かを判定する。この判定は、ファイル名称の最小の２文字が「Ｆｂ」であるか否かに基づいて行われる。
【０１２４】
具体的には、そのファイル名称の先頭の２文字が「Ｆｂ」である画像ファイルは、構図ブラケット撮影による画像であると判定される。一方、そのファイル名称の先頭の２文字が「Ｐｉ」である画像ファイルは、通常撮影による画像であると判定される。画像ファイルが構図ブラケット撮影により生成されたものであると判定されるときにはステップＳＰ３４に進み、通常撮影により生成されたものであると判定されるときにはステップＳＰ３５に進む。
【０１２５】
ステップＳＰ３４においては、画像合成部４３は、構図ブラケット撮影画像に関する付加情報表示を行う。この付加情報は、画像ファイルのタグ情報（図２８）に含まれる情報を読み出すことによって取得される。
【０１２６】
具体的には、画像合成部４３は、図３１の画面Ｇ１１に示すように、再生対象画像の上側領域Ｕ１に、構図ブラケット撮影による画像である旨（「構図ブラケット」）と、構図ブラケット撮影における広角画像内での位置（「１／５」）と、構図ブラケット範囲（「広め」）とに関する情報をさらに表示する。
【０１２７】
なお、ここでは、構図ブラケット撮影における広角画像内での位置を、全枚数（「５枚」）中の撮影順序（「１枚目」）を示す表記「１／５」によって表現している。上述したように、構図ブラケット撮影における複数の画像の撮影順序は固定されているため、その撮影順序を示すことによって、構図ブラケット撮影における広角画像内での位置が分かるからである。たとえば、「１／５」は、広角画像内の中央領域（Ｒ２１（図１８））に対応する画像であることを示し、「３／５」は、広角画像内の右上領域（Ｒ２３（図２０））に対応する画像であることを示す。ただし、これに限定されず、位置を間接的に示す「１／５」などの表記ではなく、「中央」、「左上」、「右上」、「右下」、「左下」、などのその位置を直接的に明示する文字を表示するようにしてもよい。あるいは、文字ではなく、図で表現することによって、その位置関係を明示するようにしてもよい。たとえば、図３２に示すように、構図ブラケット撮影による各画像を、広角画像領域ＲＢ（図中において外枠で示す）内での相対的位置として図で表現するようにしてもよい。図３２においては、広角画像の左上側の領域を抽出して生成されたブラケット画像を再生表示する際に、その画像を広角画像領域ＲＢの左上側に配置し、その右下側に空白領域ＢＰを配置して示している。このような表示によれば、そのブラケット画像の広角画像内における位置がさらに明確になる。
【０１２８】
このように、再生モードにおいて、構図ブラケット撮影により取得された複数の画像が、その構図の位置関係を示す情報とともに表示されるので、画像の選別あるいは整理が容易である。特に、デジタルカメラ１の比較的小さなＬＣＤ５で確認する場合には構図の相違がわかりにくくなるが、そのような場合においても構図の位置関係を示す情報とともに各画像が表示されるので画像の選別等が容易である。
【０１２９】
その後、ステップＳＰ３７において、十字カーソルボタン７Ｒ，７Ｌによるコマ送りおよびコマ戻しの操作が行われたことが検出されると、ステップＳＰ３８に進み、次に表示すべき再生対象画像の番号を決定して、その番号に対応する画像データをメモリカード９０から読み出し、ステップＳＰ３２に戻り、上記と同様の処理を繰り返す。一方、ステップＳＰ３７において、コマ送りおよびコマ戻しの操作が検出されない場合にはステップＳＰ３９に進み、カメラのモード変更操作の有無を判定する。ステップＳＰ３９においてモード変更操作が行われていることが確認されると、画像メモリ４４をクリアして、その変更先のモード（撮影モード）にデジタルカメラ１のモードを変更する（ステップＳＰ４０）。モード変更操作が行われていない場合には再びステップＳＰ３３に戻る。
【０１３０】
さて、ステップＳＰ３３からステップＳＰ３５に進むと、メニューボタン６が押下されているか否かを判定する。メニューボタン６が押下されていない場合にはステップＳＰ３７に進みそのまま通常の再生処理が継続される。一方、メニューボタン６が押下されている場合にはステップＳＰ３６に進み構図ブラケット処理が行われる。このように、通常撮影による画像に対しては、２種類の処理（通常の再生処理、構図ブラケット処理）を施すことが可能である。
【０１３１】
ステップＳＰ３６においては、まず、図３３に示すような設定用の画面Ｇ１３がＬＣＤ５に表示される。図３３は、再生モードにおけるメニュー画面を示す図である。
【０１３２】
このとき、画像合成部４３は、１０番目の撮影画像Ｇ１０自体とその画像番号（「００１０」）とを表示させており、さらに再生メニューをその撮影画像Ｇ１０に重ねて表示させている。なお、再生メニューにおいては、スライドショー、プリント指定の項目を指定することによって、これらの機能を実現することも可能であるが、ここではそれらについての詳細説明を省略し、構図ブラケット撮影について説明する。
【０１３３】
図３３の画面Ｇ１３においては、構図ブラケット処理における設定を行うことができる。具体的には、生成すべき画像の枚数と、ブラケット範囲（範囲）とを設定することが可能である。
【０１３４】
より詳細には、十字カーソルボタン７Ｕ，７Ｄ，７Ｌ，７Ｒ、を用いて選択用のカーソル（図中のＣＳ）を移動させて所望の選択肢を選択することができる。ここでは、１０番目の画像が対象画像として採用され、その対象画像に基づいて「５枚」の画像が生成される場合について説明する。また、ブラケット範囲としては「広い」が選択されるものとする。
【０１３５】
そして、最後に「実行」を選択した状態で決定ボタン７Ｃを押下することによって、設定内容が確定されて、構図ブラケット処理が開始される。言い換えれば、決定ボタン７Ｃの押下により、構図ブラケット処理の開始が指示されることになる。そして、この決定ボタン７Ｃの押下に応じて、その構図が互いに異なる複数の画像が生成される。
【０１３６】
なお、ブラケット範囲を指定することによって、処理対象画像（原画像）の被写体領域の大きさと構図ブラケット処理により取得される複数の画像の被写体領域の大きさとの関係が指定される。具体的には、範囲として「広い」を指定すれば、取得される各画像は原画像に対し比較的小さな領域に対応する画像となり、各画像間における構図の変化は比較的大きくなる。一方、範囲として「狭い」を指定すれば、取得される各画像は原画像に対し比較的原画像に近い大きさを有する領域（比較的大きな領域）に対応する画像となり、各画像間における構図の変化は比較的小さくなる。
【０１３７】
言い換えれば、「ブラケット範囲」は、上述した構図ブラケット撮影と同様、原画像に対する抽出画像の大きさの変化の程度を示している。原画像に対する抽出画像の大きさの変化の程度が比較的大きく各抽出画像間における構図の変化が比較的大きくなる場合（たとえば元画像の９０％の大きさとされ１０％の変動がある場合）には、ブラケット範囲は「広い」ものであると表現される。一方、原画像に対する抽出画像の大きさの変化の程度が比較的小さく各抽出画像間における構図の変化が比較的小さくなる場合（たとえば元画像の９５％の大きさとされ５％の変動しかない場合）には、ブラケット範囲は「狭い」ものであると表現される。換言すれば、ブラケット範囲は、抽出画像の原画像に対する「ずれ」の度合いを示すものであるとも表現できる。
【０１３８】
図３４〜図３８は、この構図ブラケット処理によって生成される各画像の元画像（対象画像）に対する位置を示す図である。これらの図を参照しながら、５枚の画像の生成動作について説明する。
【０１３９】
まず、図３４に示すように、全体制御部３０は、元の画像Ｇ１０の中から、中央の領域（範囲）Ｒｃｃを抽出して（切り出して）、圧縮・伸張部４６を用いて所定形式への圧縮処理を施した後、メモリカード９０に記録する。記録される画像ファイルの名称は、上述の基準にしたがって、構図ブラケット撮影時と同様に付与されればよい。たとえば、それまでに２０枚の画像が既に記録されている場合には、この新規の画像ファイルには「Ｆｂｃｃ００２１．ｊｐｇ」のファイル名が付与される。
【０１４０】
つぎに、図３５に示すように、全体制御部３０は、元の画像Ｇ１０の中から、左上の領域（範囲）Ｒｌａを抽出して（切り出して）、圧縮・伸張部４６を用いて所定形式への圧縮処理を施した後、メモリカード９０に記録する。記録される画像ファイルには、たとえば、「Ｆｂｌａ００２２．ｊｐｇ」のファイル名が付与される。
【０１４１】
その次には、図３６に示すように、全体制御部３０は、元の画像Ｇ１０の中から、右上の領域（範囲）Ｒｒａを抽出して（切り出して）、圧縮・伸張部４６を用いて所定形式への圧縮処理を施した後、メモリカード９０に記録する。記録される画像ファイルには、たとえば、「Ｆｂｒａ００２３．ｊｐｇ」のファイル名が付与される。
【０１４２】
さらに、図３７に示すように、全体制御部３０は、元の画像Ｇ１０の中から、右下の領域（範囲）Ｒｒｂを抽出して（切り出して）、圧縮・伸張部４６を用いて所定形式への圧縮処理を施した後、メモリカード９０に記録する。記録される画像ファイルには、たとえば、「Ｆｂｒｂ００２４．ｊｐｇ」のファイル名が付与される。
【０１４３】
最後に、図３８に示すように、全体制御部３０は、元の画像Ｇ１０の中から、左下の領域（範囲）Ｒｌｂを抽出して（切り出して）、圧縮・伸張部４６を用いて所定形式への圧縮処理を施した後、メモリカード９０に記録する。記録される画像ファイルには、たとえば、「Ｆｂｌｂ００２５．ｊｐｇ」のファイル名が付与される。
【０１４４】
以上のようにして、再生モードにおいて、構図ブラケット処理が行われる。この構図ブラケット処理は、再記録処理、より詳細には１つの画像に基づいてその構図が互いに異なる複数の画像を生成して記録する処理であるとも表現できる。
【０１４５】
このような構図ブラケット処理によれば、操作者からの指示入力に応じて、元の画像（対象画像）よりも小さく且つ対象画像内での位置が異なる複数の領域を対象画像から抽出することにより、互いに異なる構図を有する複数の画像が生成される。したがって、その構図が互いに異なる複数の画像を簡易に生成することができる。
【０１４６】
なお、ここでは、デジタルカメラ１に内蔵されたマイクロコンピュータに所定のプログラムを実行させることによって、デジタルカメラ１を、上述の構図ブラケット処理を含む画像処理を行う画像処理装置として機能させる場合を例示したが、これに限定されない。たとえば、パーソナルコンピュータ（外部コンピュータ９１）に上記の処理を行うプログラムを実行させることによって、そのパーソナルコンピュータを、上記のような構図ブラケット処理（再記録処理）を含む画像処理を行う画像処理装置として機能させるようにしてもよい。
【０１４７】
＜Ｂ．第２実施形態＞
＜Ｂ１．構成＞
第２実施形態においては、撮影レンズの光軸に対する垂直面内において撮像素子を撮影レンズに対して相対的に移動させ、移動に伴う複数の位置のそれぞれにおいて撮像素子による撮影画像を取得することによって、異なる構図の複数の画像を取得する場合について説明する。これによれば、焦点距離を広角側に変更する必要がなく、操作者が指定した焦点距離のままで複数の画像を取得することができる。したがって、撮像素子の画素をより有効に利用することができる。言い換えれば、画素数が低下することによる画質の低下を回避することができる。なお、以下では、撮像素子を移動させる場合を例示するが、撮影レンズを移動させるようにしてもよい。
【０１４８】
図３９は、本発明の第２実施形態に係るデジタルカメラ１０１の主たる構成を示す断面図である。このデジタルカメラ１０１は、互いに異なる構図の複数の画像を取得する構図ブラケット撮影を行う機能と、手ぶれによる画像中の被写体像のぶれを補正（抑制）する手ぶれ補正機能を有している。
【０１４９】
図に示すようにデジタルカメラ１０１は、主としてカメラ本体部１０２と、カメラ本体部１０２に固設される撮影レンズ１０３とから構成される。なお、以下の説明においては、図に示すＸＹＺ３次元直交座標系を適宜用いて、方向および向きを示すこととする。ここで、Ｚ軸方向は撮影レンズ１０３の光軸Ｌに沿った方向であり、Ｚ軸正方向は入射光の入射先となる向き（図において右向き）である。また、Ｙ軸方向は鉛直方向であり、Ｙ軸正方向は鉛直上向き（図において上向き）である。さらに、Ｘ軸方向は図面（紙面）に対しての垂直方向であり、Ｘ軸正方向は図面（紙面）に対する垂直下向きである。これらＸＹＺ軸は、カメラ本体部１０２のハウジング１０２ａに対して相対的に固定される。
【０１５０】
撮影レンズ１０３は主として、鏡胴１３１、ならびに、鏡胴１３１の内部に設けられる複数のレンズ群１３２および絞り１３３から構成される。レンズ群１３２には、ズーム用レンズ（ズームレンズ）１３４およびフォーカス用レンズ（フォーカスレンズ）１３５が含まれている。ズーム用レンズ１３４の位置をＺ軸方向に移動させることにより焦点距離（撮影倍率）を変更することができ、また、フォーカス用レンズ１３５をＺ軸方向に移動させることにより焦点位置（被写体像の合焦状態）を変更することができるようにされている。
【０１５１】
撮影レンズ１０３の光軸Ｌの後方（Ｚ軸正方向側）には、カメラ本体部１０２のハウジング１０２ａに収容されたＣＣＤ撮像素子（単にＣＣＤとも称する）１０５が配置されている。ＣＣＤ１０５は、カラーフィルタがそれぞれ付された微細な画素群で構成される撮像素子であり、撮影レンズ１０３によって結像される被写体の光像を、例えばＲＧＢの色成分を有する画像信号に光電変換する。ＣＣＤ１０５の受光面は結像平面と一致するように配置され、結像平面の一部の領域が画像データ（本明細書中では、適宜単に「画像」ともいう。）として取得されることとなる。
【０１５２】
ＣＣＤ１０５はＣＣＤ移動部１５０内に固定されて配置される。ＣＣＤ１０５は、このＣＣＤ移動部１５０によりＺ軸に直交するＸＹ平面内にて移動することが可能とされている。図４０は、ＣＣＤ１０５を含めたＣＣＤ移動部１５０の分解斜視図である。
【０１５３】
図４０に示すように、ＣＣＤ移動部１５０は主として、ハウジング１０２ａに固設されるベース板１５１、ベース板１５１に対してＸ軸方向に移動する第１スライダ１５２、および、第１スライダ１５１に対してＹ軸方向に移動する第２スライダ１５３の３つの部材から構成される。
【０１５４】
ベース板１５１は、撮影レンズ１０３からの入射光を通過可能に中央部が開口しており、Ｘ軸方向に延設される第１アクチュエータ１５１ａ、および、スプリング１５５を掛けるための第１スプリング掛け１５１ｂを備えている。第２スライダ１５３は、ＣＣＤ１０５を固定可能な開口部１５３ｃがその中央部に形成されるとともに、Ｙ軸方向に延設される第２アクチュエータ１５３ａ、および、剛球１５４をＺ軸方向両面に遊嵌する剛球受け１５３ｂを備えている。また、第１スライダ１５２は中央部が開口しており、第１アクチュエータ１５１ａと対向する位置に第１摩擦結合部１５２ａ、および、第２アクチュエータ１５３ａと対向する位置に第２摩擦結合部１５２ｂがそれぞれ設けられ、さらに、第１スプリング掛け１５１ｂと対向する位置に第２スプリング掛け１５２ｃが設けられる。
【０１５５】
第１アクチュエータ１５１ａおよび第２アクチュエータ１５３ａはそれぞれ、圧電素子と延在方向に駆動可能な駆動ロッドとを備えており、圧電素子に印加される駆動パルスに応じた量および向きに駆動ロッドが移動するようになっている。
【０１５６】
ＣＣＤ移動部１５０が組み上げられるときには、ＣＣＤ１０５が第２スライダ１５３の開口部１５３ｃに嵌合して固設されるとともに、第１アクチュエータ１５１ａの駆動ロッドと第１摩擦結合部１５２ａとが摩擦結合され、第２アクチュエータ１５３ａの駆動ロッドと第２摩擦結合部１５２ｂとが摩擦結合される。また、ベース板１５１と第１スライダ１５２とは、スプリング１５５によって相互に接近する向きに付勢される。このとき、第２スライダ１５３は、ベース板１５１と第１スライダ１５２とに剛球１５４を介して挟み込まれた状態とされる。これにより、Ｚ軸負方向側から正方向側に向かって、ベース板１５１、第２スライダ１５３、第１スライダ１５２の順に重なって、これら部材１５１，１５３，１５２が配置されることとなる。
【０１５７】
このようなＣＣＤ移動部１５０が組み上げられた状態で、第１アクチュエータ１５１ａの駆動ロッドが緩速で移動すると、これに摩擦結合する第１摩擦結合部１５２ａにより第１スライダ１５２がベース板１５１に対してＸ軸方向に移動する。このとき、第１スライダ１５２の移動にあわせて第２スライダ１５３もベース板１５１に対してＸ軸方向に移動する。第１アクチュエータ１５１ａの駆動ロッドが急速に移動すると、慣性により第１スライダ１５２は停止する。また、第２アクチュエータ１５３ａの駆動ロッドが緩速で移動すると、これに摩擦結合する第２摩擦結合部１５２ｂにより第２スライダ１５３が第１スライダ１５２に対してＹ軸方向に移動する。このとき、第１スライダ１５２のベース板１５１に対する移動はなされないため、第２スライダ１５３は単独でベース板１５１に対してＹ軸方向に移動することとなる。第２アクチュエータ１５３ａの駆動ロッドが急速に移動すると、慣性により第２スライダ１５３は停止する。つまり、各圧電素子に与えられる駆動パルスによって各駆動ロッドが速度の異なる往動および復動（振動）を行うことにより、第２スライダ１５３がＸ軸・Ｙ軸方向に移動することとなる。
【０１５８】
また、前述したように、ベース板１５１はカメラ本体部１０２のハウジング１０２ａに固設され、ＣＣＤ１０５は第２スライダ１５３に固設されることから、ＣＣＤ１０５はカメラ本体部１０２のハウジング１０２ａに対してＸＹ平面内にて相対的に移動することとなる。したがって、ＣＣＤ１０５は、撮影レンズ１０３に対してＸＹ平面内にて相対的に移動することになり、結像平面上において画像として取得される領域が変更されることとなる。言い換えれば、ＣＣＤ移動部１５０は、撮影レンズ１０３の光軸Ｌの垂直面（ＸＹ平面）内において、ＣＣＤ１０５を撮影レンズ１０３に対して相対的に移動させることができる。
【０１５９】
図３９に戻り、ＣＣＤ１０５のＺ軸正方向側には、移動するＣＣＤ１０５の位置を検出するためのＣＣＤ位置センサ１５８が配置されている。ＣＣＤ位置センサ１５８は、発光ダイオード等で構成される２つの投光部１５６ａ，１５６ｂ、および、フォトダイオード等で構成される２つの受光部１５７ａ，１５７ｂを備えている。投光部１５６ａ，１５６ｂはＣＣＤ１０５の裏面側（Ｚ軸正方向側）に固設される一方、受光部１５７ａ，１５７ｂは投光部１５６ａ，１５６ｂにそれぞれ対向するようにカメラ本体部１０２のハウジング１０２ａに固設される。投光部１５６ａ，１５６ｂから投光された光は受光部１５７ａ，１５７ｂにて受光可能となっており、この受光部１５７ａ，１５７ｂにて受光する光の位置の変化から、ＣＣＤ１０５の位置がＸＹ座標位置として求められる。具体的には、第１投光部１５６ａおよび第１受光部１５７ａにてＣＣＤ１０５のＸ軸方向の位置を検出し、第２投光部１５６ｂおよび第２受光部１５７ｂにてＣＣＤ１０５のＹ軸方向の位置を検出するようになっている。
【０１６０】
また、カメラ本体部１０２のハウジング１０２ａの内部には、デジタルカメラ１０１の手ぶれによる振動を検出する振動センサ１４０が設けられている。振動センサ１４０は、２つの角速度センサ（第１角速度センサ１４１および第２角速度センサ１４２）を備えており、第１角速度センサ１４１にてＸ軸を中心とした回転振動（ピッチング）Ｐｉの角速度が検出され、第２角速度センサ１４２にてＹ軸を中心とした回転振動（ヨーイング）Ｙａの角速度が検出される。この振動センサ１４０により検出される２つの角速度に基づいて、ＣＣＤ１０５がＸ軸およびＹ軸のそれぞれの方向に移動されることにより、画像中の被写体像のぶれの補正、すなわち、手ぶれ補正がなされることとなる。
【０１６１】
カメラ本体部１０２の上面側にはシャッタボタン１６１が設けられる。シャッタボタン１６１は、撮影準備の開始や撮像（露光開始）の指示をユーザから受け付けるボタンであり、半押し状態（状態Ｓ１）と全押し状態（状態Ｓ２）とが検出可能な２段階スイッチになっている。
【０１６２】
また、カメラ本体部１０２の背面側には、操作ボタン１６２、および、ＬＣＤ１６３が設けられる。操作ボタン１６２は、デジタルカメラ１０１の各種設定をユーザから受け付けるものである。デジタルカメラ１０１はその動作モードとして、被写体の画像を取得して記録する撮像装置として機能する撮影モードと、記録された画像をＬＣＤ１６３に再生表示する画像再生装置として機能する再生モードとを備えている。操作ボタン１６２を操作することにより、この動作モードを、撮影モードと再生モードとの間で切り替えることができるようになっている。
【０１６３】
ＬＣＤ１６３は、各種の情報や画像を表示するものである。撮影モードにおいてＬＣＤ１６３は、ＣＣＤ１０５にて所定時間ごとに取得される画像を表示（ライブビュー表示）し、被写体像をユーザに確認させつつフレーミングを行わせるビューファインダとして機能する。一方、再生モードにおいてＬＣＤ１６３は、記録された画像を表示することとなる。
【０１６４】
また、カメラ本体部１０２の内部には、各種データを記録するメモリカード１９１（図４１参照）を挿入して装着することが可能とされる。撮影モードにおいて、ＣＣＤ１０５にて取得された画像は、このメモリカード１９１に記録されるようになっている。
【０１６５】
デジタルカメラ１０１の各種の機能は、カメラ本体部１０２のハウジング１０２ａ内に設けられる全体制御部の制御に基づいて行われる。図４１は、この全体制御部１０７を含めたデジタルカメラ１０１の主たる機能構成を機能ブロックとして示す図である。
【０１６６】
図４１に示すように、ＣＣＤ１０５、ＣＣＤ移動部１５０、ＣＣＤ位置センサ１５８、振動センサ１４０、操作部ＭＰおよびＬＣＤ１６３等のデジタルカメラ１０１の各処理部は全体制御部１０７に電気的に接続され、全体制御部１０７の制御下にて動作することとなる。これとともに、ＣＣＤ位置センサ１５８にて検出されるＣＣＤ１０５の位置、振動センサ１４０にて検出される角速度、および操作部ＭＰの操作内容等は、それぞれ信号として全体制御部１０７に入力される。
【０１６７】
なお、操作部ＭＰは、シャッタボタン１６１、操作ボタン１６２、およびその他の操作ボタン（図示せず）を含んでおり、上記の第１実施形態と同様の各種の設定を行うことが可能である。
【０１６８】
撮影レンズ１０３は、ズーム駆動部１３４ａ、フォーカス駆動部１３５ａおよび絞り駆動部１３３ａを備えている。ズーム駆動部１３４ａは、ズーム用レンズ１３４をＺ軸方向に駆動して焦点距離を変更させる。フォーカス駆動部１３５ａは、フォーカス用レンズ１３５をＺ軸方向に駆動して焦点位置を変更させる。また、絞り駆動部１３３ａは、全体制御部１０７により設定される絞り値となるように絞り１３３の開口径を調整する。ズーム駆動部１３４ａ、フォーカス駆動部１３５ａおよび絞り駆動部１３３ａも電気的に全体制御部１０７に接続され、全体制御部１０７の制御下にて動作する。
【０１６９】
また、図４１において、Ａ／Ｄ変換部１２１、画像処理部１２２および画像メモリ１２３は、ＣＣＤ１０５にて取得された画像を扱う処理部を示している。すなわち、ＣＣＤ１０５にて取得されたアナログ信号の画像は、Ａ／Ｄ変換部１２１にてデジタル信号に変換され、画像処理部１２２にて所定の画像処理（ホワイトバランス補正、γ補正、色補正、解像度変換など）がなされた後、画像メモリ１２３に格納される。画像メモリ１２３に格納された画像は、記録用画像としてメモリカード１９１へ記録されたり、ライブビュー表示用画像としてＬＣＤ１６３に表示されることとなる。このような画像に対する各種の処理も全体制御部１０７の制御に基づいて行われる。
【０１７０】
全体制御部１０７は、マイクロコンピュータを備えて構成される。すなわち、全体制御部１０７は、各種演算処理を行うＣＰＵ１７０と、演算を行うための作業領域となるＲＡＭ１７１と、制御プログラム等が記憶されるＲＯＭ１７２とを備え、上述したようなデジタルカメラ１０１の各処理部の動作を統括的に制御する。
【０１７１】
全体制御部１０７の各種の機能は、予めＲＯＭ１７２内に記憶される制御プログラムに従ってＣＰＵ１７０が演算処理を行うことにより実現される。このような制御プログラムは、予めＲＯＭ１７２内に記憶されているものであるが、メモリカード１９１から読み出すなどにより、新たな制御プログラムをＲＯＭ１７２に格納することも可能とされている。
【０１７２】
＜Ｂ２．動作＞
つぎに、デジタルカメラ１０１の撮影モードにおける撮影動作について図４２および図４３などを参照しながら、さらに詳細に説明する。図４２および図４３は、構図ブラケット撮影におけるデジタルカメラ１０１の動作を示すフローチャートである。このフローチャートは、メインルーチンから所定の時間間隔（たとえば、数ミリ秒から数十ミリ秒間隔）で呼び出されるサブルーチンとして記載されている。これらのルーチンは、全体制御部１０７の制御下において実行される。また、説明の簡略化のため、この構図ブラケット撮影においては、手ぶれ補正機能を用いないものとして説明する。
【０１７３】
なお、ここでは、第１実施形態と同様に、構図ブラケットモードへの設定操作と、構図ブラケット撮影の範囲および枚数に関する設定操作（図１３参照）とが既に行われているものとする。また、ここでは、５枚の画像を撮影する旨が設定されているものとする。
【０１７４】
この第２実施形態の構図ブラケット撮影では、撮影レンズ１０３（図３９）の光軸Ｌに対する垂直面（ＸＹ平面）内においてＣＣＤ１０５（撮像素子）を撮影レンズ１０３に対して相対的に移動させ、移動後の複数（５つ）の位置のそれぞれにおいてＣＣＤ１０５による撮影画像を取得することによって、異なる構図の複数（５枚）の画像を取得する。なお、これらの複数の画像の撮影時においては、撮影レンズ１０３は、被写体に対して、撮影開始の指示入力時における所定の位置および姿勢を保ったままである（言い換えれば、同一の位置および姿勢を保持している）。なお、この第２実施形態においては、「撮影開始の指示入力」は、シャッタボタンが全押し状態Ｓ２にまで押下されることを意味するものとする。
【０１７５】
図４４はＣＣＤ１０５の移動の様子を示す図であり、図４５はその一部拡大図である。図４４および図４５に示すように、ＣＣＤ１０５の中心位置は、位置Ｐｃｃ，Ｐｌａ，Ｐｒａ，Ｐｒｂ，Ｐｌｂの順に、ＸＹ平面内において移動する。そして、複数の位置Ｐｃｃ，Ｐｌａ，Ｐｒａ，Ｐｒｂ，Ｐｌｂのそれぞれで撮像動作が行われ画像が取得される。図４４における領域Ｒｃｃは、最初の位置Ｐｃｃ（ホームポジションないし基準位置）で撮像された画像の被写体領域を示している。また、領域Ｒｌａは位置Ｐｌａで撮像された画像の被写体領域を示しており、領域Ｒｒｂは位置Ｐｒｂで撮像された画像の被写体領域を示している。なお、図４４においては、図示の都合上、位置Ｐｒａ，Ｐｌｂに移動したときの被写体領域Ｒｒａ，Ｒｌｂは示されていない。
【０１７６】
図４４に示すように、ＣＣＤ１０５の移動に伴って撮像される複数の画像の被写体領域は互いに異なっている。すなわち、これらの画像の構図は、互いに異なっている。また、いずれの画像も、撮影開始の指示入力が与えられたときのズーム用レンズの光軸方向における位置を変更することなく撮影されるので、第１実施形態と比べて、ＣＣＤにおいて有効な画素数を大きくすることができる。
【０１７７】
このような移動を伴う撮影ブラケット撮影について説明する。
【０１７８】
まず、図４２に示すように、ステップＳＰ５１において、ＣＣＤ１０５がホームポジション（基準位置）に存在するか否か（具体的には、ＣＣＤ１０５の中心位置がＰｃｃに存在するか否か）を判定する。ＣＣＤ１０５がホームポジションに存在しない場合は、ステップＳＰ５２でＣＣＤ１０５をホームポジションに移動させた後ステップＳＰ５３に進む。
【０１７９】
ステップＳＰ５３において、シャッタボタン１６１が半押し状態Ｓ１にされたか否かが判定される。半押し状態Ｓ１になっていると判定された場合には、ステップＳＰ５４に進む。一方、半押し状態Ｓ１になっていないと判定された場合には、このサブルーチンを一旦終了する。なお、その後、再びサブルーチンが実行されると、このステップＳＰ５４が再度実行される。
【０１８０】
ステップＳＰ５４〜ステップＳＰ５７においては、自動露光制御（ＡＥ制御）、オートフォーカス制御（ＡＦ制御）、オートホワイトバランス制御（ＡＷＢ制御）が行われる。具体的には、ステップＳＰ５４で、測光値、測色値、ＡＦ用評価値が測定される。なお、ＡＦ用評価値としては、フォーカス用レンズの駆動を伴いつつ、複数の測定値が取得される。
【０１８１】
ステップＳＰ５５では、ＡＥ動作が行われる。具体的には、ステップＳＰ１５での測光動作における測光値に基づいて、露出制御パラメータ（シャッタスピード、絞り、ゲイン）の値が決定される。そして、露出制御パラメータがその値でロックされる。後のステップＳＰ５９，ＳＰ６２の撮像処理においては、決定された露出制御パラメータ（同一の露出制御パラメータ）の値を用いて複数回の撮像処理が行われる。
【０１８２】
ステップＳＰ５６では、オートホワイトバランス動作（ＡＷＢ動作）が行われる。具体的には、ステップＳＰ５４での測色動作における測色値に基づいて、ホワイトバランスを補正するＡＷＢ補正パラメータの値が決定される。そして、ＡＷＢ補正パラメータがその値でロックされる。後のステップＳＰ５９，ＳＰ６２の撮像処理においては、この補正パラメータの値でホワイトバランスが調整されて複数回の撮像処理が行われる。
【０１８３】
ステップＳＰ５７では、ステップＳＰ５４でのオートフォーカス動作に応じたフォーカス位置が決定され、構図ブラケット撮影におけるフォーカス位置がロックされる。後のステップＳＰ５９，ＳＰ６２の撮像処理においては、このフォーカス位置で複数回の撮像処理が行われる。
【０１８４】
ステップＳＰ５８（図４３）では、シャッタボタン１６１が全押し状態Ｓ２にされたか否かが判定される。シャッタボタン１６１が全押し状態Ｓ２にされていないと判定されるとこのサブルーチンを終了する。一方、シャッタボタン１６１が全押し状態Ｓ２にされていると判定されると、ステップＳＰ５９に進む。
【０１８５】
ステップＳＰ５９においては、撮像処理が行われる。具体的には、最初の露光動作による１枚の撮影画像が取得される。このとき、撮影パラメータ（具体的には、露出制御パラメータ、ＡＷＢ補正パラメータ、およびフォーカス位置）はそれぞれステップＳＰ５５，ＳＰ５６，ＳＰ５７で設定された値になっている。また、ズーム用レンズのレンズ位置は、変更されない（そのままである）。この撮像処理による画像は、操作者が指定した構図に対応する画像である。この画像は、ＣＣＤ１０５の所定領域（ここでは全領域）に結像される被写体像をその全範囲とする画像として取得され、所定の画像処理が施された後、画像メモリ１２３に一旦格納される。
【０１８６】
そして、ステップＳＰ６０においては、この撮像画像の記録処理が行われる。具体的には、画像メモリ１２３に格納された画像が、メモリカード１９１に転送されて、記録用画像としてメモリカード１９１内で記録される。
【０１８７】
ステップＳＰ６１では、ＣＣＤ１０５の中心位置を次の位置Ｐｌａに移動させる。
【０１８８】
その後、撮像処理（ステップＳＰ６２）および記録処理（ステップＳＰ６３）が行われる。これにより、位置Ｐｌａでの撮影画像を取得することができる。
【０１８９】
ステップＳＰ６４では、全ての撮影が完了したか否かを判定する。より具体的には、５枚の撮影が全て完了したか否かが判定される。ここでは、未だ完了していないので、ステップＳＰ６５に進む。
【０１９０】
ステップＳＰ６５では、図４４に示すように、全体制御部１０７は、ＣＣＤ１０５をデジタルカメラ１０１の背面から見て、時計回り方向に１ステップ移動させる。すなわち、ＣＣＤ１０５の中心位置を次の位置Ｐｒａに移動させる。その後、ステップＳＰ６２に戻る。
【０１９１】
その後、ステップＳＰ６２，ＳＰ６３，ＳＰ６４において、上述したような処理を行う。これにより、位置Ｐｒａの撮影画像を取得することができる。
【０１９２】
さらに、ステップＳＰ６２，ＳＰ６３，ＳＰ６４において、同様の処理を繰り返すことにより、残りの２枚の画像、すなわち、位置Ｐｒｂ，Ｐｌｂでの撮影画像を取得することができる。このようにして、異なる構図の５枚の画像が撮影される。なお、これらの５枚の画像の撮影時においては、撮影パラメータ（具体的には、露出制御パラメータ、ＡＷＢ補正パラメータ、およびフォーカス位置）はそれぞれステップＳＰ５５，ＳＰ５６，ＳＰ５７で設定された値のままである。また、ズーム用レンズのレンズ位置も変更されない。
【０１９３】
そして、ステップＳＰ６４で撮影が完了したと判定されるとステップＳＰ６６に進む。ステップＳＰ６６では、構図ブラケット撮影における露出制御パラメータ、ＡＷＢ補正パラメータ、フォーカス位置のロックが解除される。
【０１９４】
そして、ステップＳＰ６７では、ＣＣＤ１０５がホームポジションへと移動される。その後、このサブルーチンを終了し、メインルーチンに戻る。
【０１９５】
以上のように、この第２実施形態のデジタルカメラ１０１の構図ブラケット撮影によれば、シャッタボタンの押下（撮影開始の指示入力）に応じて、ＣＣＤ１０５がＸＹ平面内において撮影レンズ１０３に対して相対的に移動され、この移動に伴う複数の位置においてＣＣＤ１０５による撮影が行われて複数の画像が取得される。したがって、このような構図ブラケット撮影を行うことによれば、第１実施形態の構図ブラケット撮影と同様の効果を得ることができる。
【０１９６】
さらに、この第２実施形態の構図ブラケット撮影によれば、ＣＣＤ１０５を撮影レンズ１０３に対して相対的に移動させて構図が異なる複数の撮影画像を取得している。したがって、焦点距離を広角側に変更して撮影する必要がないので、第１実施形態と比べて、撮像素子の画素をより有効に利用することができる。言い換えれば、画素数が低下することによる画質の低下を回避することができる。
【０１９７】
また、ＣＣＤ１０５および撮影レンズ１０３は、その一方から見た他方の移動軌跡が途中で交差しないように相対移動されている。
【０１９８】
より具体的には、図４５に示すように、ＣＣＤ１０５の撮影レンズ１０３に対する移動軌跡（図中において太線で示す）は途中で交差していない。なお、この移動軌跡は、螺旋状（ないしループ状）のものとなっているとも表現できる。
【０１９９】
一方、図４６は、ＣＣＤ１０５の中心位置を、位置Ｐｃｃ，Ｐｌａ，Ｐｒａ，Ｐｌｂ，Ｐｒｂの順に移動させる場合の移動軌跡を示している。図４６の移動軌跡は、図４５の移動軌跡に比べて長くなっている。これは、図４６の移動軌跡が途中で交差していることに基づくものである。あるいは、螺旋状（ないしループ状）ではないことに基づくものであるとも表現できる。
【０２００】
したがって、図４５のような順序でＣＣＤ１０５を移動させれば、図４６に示すような順序でＣＣＤ１０５を移動させる場合に比べて、ＣＣＤ１０５の移動距離を短くすることができる。このように、ＣＣＤ１０５の移動距離を短くすることができるので、移動の高速化を図り、複数の画像をさらに短時間に撮影することが可能になる。特に、被写体の動きが激しい場合においても、被写体の状態の変化を最小限にとどめつつ、構図を変化させた複数の画像を取得することが可能になる。
【０２０１】
また、この第２実施形態においては、構図ブラケット撮影によって５枚の画像を撮影する場合について説明したが、これに限定されない。たとえば、９枚の画像を撮影するようにしても良い。
【０２０２】
図４７は、９枚の画像を撮影する際の撮影順序（移動順序）を示す図である。図４７においては、ＣＣＤ１０５の中心位置の移動の様子を示している。図４７に示すように、デジタルカメラ１０１は、ＣＣＤ１０５を、その中心位置が各位置Ｐｃｃ，Ｐｌａ，Ｐｃａ，Ｐｒａ，Ｐｒｃ，Ｐｒｂ，Ｐｃｂ，Ｐｌｂ，Ｐｌｃに存在するようにこの順序で移動させ、各位置において撮像動作を行えばよい。
【０２０３】
この場合においても、図４７の移動軌跡は図４８の移動軌跡に比べて短くなっている。これは、図４７の移動軌跡が途中で交差していないことに基づくものである。あるいは、螺旋状（ないしループ状）であることに基づくものであるとも表現できる。なお、図４８は、別の移動例を示す図であり、ＣＣＤ１０５の中心位置が各位置Ｐｃｃ，Ｐｌａ，Ｐｃａ，Ｐｒａ，Ｐｌｃ，Ｐｒｃ，Ｐｌｂ，Ｐｃｂ，Ｐｒｂに存在するようにこの順序で移動させ、各位置において撮像動作を行う場合を示している。
【０２０４】
＜Ｃ．その他＞
上記第１実施形態においては、操作者によってブラケット撮影枚数が設定される場合を例示したが、これに限定されない。たとえば、ブラケット範囲の広さに応じて構図ブラケットモードにおけるブラケット撮影枚数を決定するようにしてもよい。より具体的には、ブラケット範囲が「広い」に設定されていることが検出されるときにはブラケット撮影枚数を比較的多い数（たとえば９枚）に変更し、ブラケット範囲が「狭い」に設定されていることが検出されるときにはブラケット撮影枚数を比較的少ない数（たとえば５枚）に変更すればよい。このように、ブラケット範囲が広くなるにつれて、より多い枚数の画像を取得するようにしてもよい。これによれば、ブラケット範囲の広さに応じて、多様な構図の画像を得ることができる。
【０２０５】
上記第１実施形態においては、広角画像の領域Ｒ１０の全範囲の画像データに基づいて測光値および測色値を算出する場合について例示したが、これに限定されない。たとえば、領域Ｒ２１〜Ｒ２５の全てに共通する領域Ｒ２６（図２３）の画像データを用いて、測光値および測色値を算出するようにしてもよい。
【０２０６】
また、上記第１実施形態においては、シャッタボタンが半押し状態Ｓ１にされた時点を撮影開始の指示入力がなされた時点であるとみなし、上記第２実施形態においては、シャッタボタンが全押し状態Ｓ２にされた時点を撮影開始の指示入力がなされた時点であるとみなしてる。言い換えれば、第１実施形態においては、撮影開始の指示入力は、シャッタボタンが半押し状態Ｓ１にされることにより与えられ、第２実施形態においては、撮影開始の指示入力は、シャッタボタンが全押し状態Ｓ２にされることによって与えられている。このように、撮影開始の指示入力は、撮影に関するいずれかの処理を開始すべき旨の指示を示すものであればよい。また、構図ブラケットモードにおける構図ブラケット撮影は、操作の容易化のため、このような指示入力、より具体的には、操作者からの１度の指示入力に応じて複数の画像を取得するものであることが好ましい。
【０２０７】
さらに、上記各実施形態においては、構図ブラケット撮影を行う場合について説明したが、その他の種類のブラケット撮影を行うことも可能である。たとえば、構図ブラケットモードにおける構図ブラケット撮影と、構図以外の所定の撮影条件に関する他のブラケットモードにおけるブラケット撮影（たとえば露出条件を変更しながら複数の画像を取得する露出ブラケット撮影）とを組み合わせて行うようにしてもよい。このような組み合わせに係るブラケット撮影を行う場合においては、その撮影条件の値（たとえば露出値）と構図との組合せを変更する一方で、その他の撮影条件（たとえば、ホワイトバランス）を同一にした状態（固定した状態）で複数の画像を取得する。これによれば、露出値などの所定の撮影条件をも変更するブラケット撮影を行う場合であっても、その他の撮影条件は同一で、構図のみが異なる複数の画像を取得することができる。
【０２０８】
さらに、上記実施形態においては、再生モードにおいて、通常撮影による画像に対してのみ構図ブラケット処理を施すことが可能であるとして説明したが、これに限定されない。たとえば、構図ブラケット撮影により撮影された複数の画像の１つに対して、再生モードにおいてさらに構図ブラケット処理を施すようにしてもよい。
【０２０９】
また、第２実施形態においては、撮影レンズとしてズームレンズを用いているが、必ずしもズームレンズを用いることを要しない。第２実施形態においては、第１実施形態とは異なり焦点距離を変更する必要がないので、撮影レンズとして単焦点レンズを用いてもよい。
【０２１０】
なお、上述した具体的実施形態には以下の構成を有する発明が含まれている。
【０２１１】
（１）請求項１に記載のデジタルカメラにおいて、
前記複数の画像を抽出する際の最大対象範囲を設定する範囲設定手段、
をさらに備え、
前記第２の位置は、前記範囲設定手段により設定された最大対象範囲が比較的狭い範囲に設定されたときには、比較的広い範囲に設定されたときに比べて、前記第１の位置に比較的近い位置に設定されることを特徴とするデジタルカメラ。
【０２１２】
これによれば、最大対象範囲が比較的狭い範囲に設定されたときには、比較的広い範囲に設定されたときに比べて、第２の位置が前記第１の位置に比較的近い位置に設定される。したがって、撮像手段による画像から複数の画像を抽出する際に切り取られる（トリミングされる）部分の画素数を少なくし、それらの複数の画像のそれぞれの画素数を大きくすることができるため、複数の画像を高画質のものとすることができる。
【０２１３】
（２）請求項１に記載のデジタルカメラにおいて、
前記第１の位置がワイド端であるときには、前記撮像手段は、前記ズームレンズのレンズ位置を変更することなく前記第１の位置のままで画像を取得し、前記制御手段は、当該画像を撮影画像として記録することを特徴とするデジタルカメラ。
【０２１４】
これによれば、ワイド端では構図ブラケット撮影を禁止することができる。
【０２１５】
（３）請求項１に記載のデジタルカメラにおいて、
前記第１の位置がワイド端であるときには、構図ブラケット撮影を実行することが不可能である旨の警告を行う警告手段、
をさらに備えることを特徴とするデジタルカメラ。
【０２１６】
これによれば、撮影者は構図ブラケット撮影を実行することが不可能であることを認識できる。
【０２１７】
（４）請求項１に記載のデジタルカメラにおいて、
前記撮像手段による画像に基づくライブビューを表示する表示手段、
をさらに備え、
前記表示手段は、
前記指示入力の前においては、前記撮像手段による画像を前記表示手段の表示領域に合わせて表示し、
前記指示入力の後に、前記ズームレンズのレンズ位置が前記第２の位置に移動しているときにおいては、前記撮像手段による画像から、前記第１の位置における画角に対応する大きさの画像を抽出し、当該抽出した画像を前記表示手段の表示画面の大きさに合わせて拡大して表示することを特徴とするデジタルカメラ。
【０２１８】
これによれば、ライブビューにおける被写体の大きさは指示入力前後で変化しないので、ライブビューを見ている撮影者に違和感を与えずに済む。
【０２１９】
（５）請求項１に記載のデジタルカメラにおいて、
前記撮像手段により取得された画像の全範囲に基づいて、測光値および測色値の少なくとも一方を取得する手段、
をさらに備えることを特徴とするデジタルカメラ。
【０２２０】
これによれば、全体として最適な値を一度に求めることができる。
【０２２１】
（６）デジタルカメラであって、
前記撮像素子および前記撮影レンズは、その一方から見た他方の移動軌跡が途中で交差しないように相対移動されることを特徴とするデジタルカメラ。
【０２２２】
これによれば、撮像素子と撮影レンズとの相対的な移動距離を短くすることができる。
【０２２３】
（７）デジタルカメラであって、
撮影光学系と、
前記撮影光学系からの被写体像を光電変換を用いて画像として取得する撮像手段と、
前記撮像手段を用いて異なる構図の複数の画像を取得する構図ブラケットモードを、撮影モードとして設定する設定手段と、
前記撮影モードとして前記構図ブラケットモードが設定されている場合には、互いに異なる構図を有する複数の画像を取得するように制御する制御手段と、
前記取得された複数の画像を、その構図の位置関係を示す情報とともに記録する記録手段と、
を備えることを特徴とするデジタルカメラ。
【０２２４】
これによれば、構図ブラケット撮影により取得された複数の画像が、その構図の位置関係を示す情報とともに記録されるので、画像の選別あるいは整理が容易になる。
【０２２５】
（８）前記（７）に記載のデジタルカメラにおいて、
撮影モードと再生モードとの切替を行う切替手段と、
前記切替手段により再生モードに切り換えられた場合には、前記複数の画像を、その構図の位置関係を明示して表示する表示手段と、
をさらに備えることを特徴とするデジタルカメラ。
【０２２６】
これによれば、再生モードにおいて、構図ブラケット撮影による複数の画像が、その構図の位置関係を示す情報とともに生成されるので、画像の選別あるいは整理が容易になる。
【０２２７】
（９）デジタルカメラであって、
撮影光学系と、
前記撮影光学系からの被写体像を光電変換を用いて画像として取得する撮像手段と、
前記撮像手段を用いて異なる構図の複数の画像を取得する構図ブラケットモードを、撮影モードとして設定する設定手段と、
前記撮影モードとして前記構図ブラケットモードが設定されている場合には、互いに異なる構図を有する複数の画像を、共通の被写体領域を有する状態（その撮影範囲が重なった状態）で取得するように制御する制御手段と、
を備えることを特徴とするデジタルカメラ。
【０２２８】
これによれば、互いに異なる構図を有する複数の画像が、共通の被写体領域を有する状態（その撮影範囲が重なった状態）で取得されるので、主要な被写体を含む異なる構図の複数の画像をより確実に得ることが可能になる。
【０２２９】
（１０）デジタルカメラであって、
撮影光学系と、
前記撮影光学系からの被写体像を光電変換を用いて画像として取得する撮像手段と、
前記撮像手段を用いて異なる構図の複数の画像を取得する構図ブラケットモードを、撮影モードとして設定する設定手段と、
前記構図ブラケットモードにおけるブラケット撮影枚数を設定する枚数設定手段と、
撮影開始の指示入力を受け付ける入力手段と、
前記撮影モードとして前記構図ブラケットモードが設定されている場合には、前記枚数設定手段により設定されたブラケット撮影枚数の画像を前記指示入力に応じて取得するように制御する制御手段と、
を備えることを特徴とするデジタルカメラ。
【０２３０】
これによれば、構図ブラケットモードにおけるブラケット撮影枚数を変更することができるので、多様な要求に応えることが可能になる。
【０２３１】
（１１）デジタルカメラであって、
光学ズームを行うことが可能なズームレンズと、
前記ズームレンズからの被写体像を光電変換を用いて画像として取得する撮像手段と、
前記撮像手段を用いて異なる構図の複数の画像を取得する構図ブラケットモードを、撮影モードとして設定する設定手段と、
前記構図ブラケットモードにおけるブラケット範囲を設定する範囲設定手段と、
撮影開始の指示入力を受け付ける入力手段と、
前記ズームレンズのレンズ位置を、前記指示入力時の操作者の設定による第１の位置から、前記第１の位置よりも広角側の位置へと移動させた状態で、前記ズームレンズからの被写体像を光電変換を用いて画像として取得する撮像手段と、前記撮像手段により取得された画像から、前記第１の位置における画角に対応する大きさを有し且つ前記画像内における位置が互いに異なる複数の領域を抽出することによって、互いに異なる構図を有する複数の画像を生成する制御手段と、
を備え、
前記第１の位置よりも広角側の位置は、前記範囲設定手段により設定されたブラケット範囲に応じて調整された位置であることを特徴とするデジタルカメラ。
【０２３２】
これによれば、構図ブラケットモードにおけるブラケット範囲を変更することができるので、多様な要求に応えることが可能になる。
【０２３３】
（１２）前記（１１）に記載のデジタルカメラにおいて、
前記ブラケット範囲の広さに応じて前記構図ブラケットモードにおけるブラケット撮影枚数を変更する変更手段、
をさらに備えることを特徴とするデジタルカメラ。
【０２３４】
これによれば、ブラケット範囲の広さに応じて、多様な構図の画像を得ることができる。
【０２３５】
（１３）請求項３に記載のデジタルカメラにおいて、
前記設定手段は、構図ブラケットモードと、前記構図以外の所定の撮影条件に関する他のブラケットモードとを組み合わせて設定することが可能であり、
前記制御手段は、所定の撮影条件との組合せを変更する一方で前記所定の撮影条件以外の撮影条件を同一にした状態で、異なる構図の複数の画像を取得することを特徴とするデジタルカメラ。
【０２３６】
これによれば、構図以外に所定の撮影条件をも変更するブラケット撮影を行う場合であっても、その他の撮影条件は同一で、構図のみが異なる複数の画像を取得することができる。
【０２３７】
（１４）請求項４に記載の画像処理装置において、
前記複数の画像を、その構図の位置関係を示す情報とともに記録する記録手段、
をさらに備えることを特徴とする画像処理装置。
【０２３８】
これによれば、互いに異なる構図を有する複数の画像が、その構図の位置関係を示す情報とともに記録されるので、画像の選別あるいは整理が容易になる。
【０２３９】
（１５）請求項４に記載の画像処理装置において、
前記複数の画像は、共通の被写体領域を有する状態で取得されることを特徴とする画像処理装置。
【０２４０】
これによれば、互いに異なる構図を有する複数の画像が、共通の被写体領域を有する状態で取得されるので、主要な被写体を含む異なる構図の複数の画像を、より確実に得ることが可能になる。
【０２４１】
（１６）請求項４に記載の画像処理装置において、
前記複数の画像として生成すべき画像の枚数を設定する枚数設定手段、
をさらに備えることを特徴とする画像処理装置。
【０２４２】
これによれば、複数の画像として生成すべき枚数を変更することができるので、多様な要求に応えることが可能になる。
【０２４３】
（１７）請求項４に記載の画像処理装置において、
前記対象画像の被写体領域の大きさと前記生成手段により生成される複数の画像の被写体領域の大きさとの関係を設定する設定手段、
をさらに備えることを特徴とする画像処理装置。
【０２４４】
これによれば、対象画像の被写体領域の大きさと生成手段により生成される複数の画像の被写体領域の大きさとの関係を設定することができるので、多様な要求に応えることが可能になる。
【０２４５】
（１８）請求項５に記載のプログラムにおいて、
前記プログラムは、前記コンピュータを、さらに、
前記複数の画像を、その構図の位置関係を示す情報とともに記録する記録手段、
としても機能させることを特徴とするプログラム。
【０２４６】
これによれば、互いに異なる構図を有する複数の画像が、その構図の位置関係を示す情報とともに記録されるので、画像の選別あるいは整理が容易になる。
【０２４７】
（１９）請求項５に記載のプログラムにおいて、
前記複数の画像は、共通の被写体領域を有する状態で取得されることを特徴とするプログラム。
【０２４８】
これによれば、互いに異なる構図を有する複数の画像が、共通の被写体領域を有する状態で取得されるので、主要な被写体を含む異なる構図の複数の画像を、より確実に得ることが可能になる。
【０２４９】
（２０）請求項５に記載のプログラムにおいて、
前記プログラムは、前記コンピュータを、さらに、
前記複数の画像として生成すべき画像の枚数を設定する枚数設定手段、
としても機能させることを特徴とするプログラム。
【０２５０】
これによれば、複数の画像として生成すべき枚数を変更することができるので、多様な要求に応えることが可能になる。
【０２５１】
（２１）請求項５に記載のプログラムにおいて、
前記プログラムは、前記コンピュータを、さらに、
前記対象画像の被写体領域の大きさと前記生成手段により生成される複数の画像の被写体領域の大きさとの関係を設定する設定手段、
としても機能させることを特徴とするプログラム。
【０２５２】
これによれば、対象画像の被写体領域の大きさと生成手段により生成される複数の画像の被写体領域の大きさとの関係を設定することができるので、多様な要求に応えることが可能になる。
【０２５３】
【発明の効果】
以上のように、請求項１に記載の発明によれば、撮影開始の指示入力に応じて、その構図が互いに異なる複数の画像を取得すること（すなわち構図ブラケット撮影を行うこと）ができる。したがって、より良い構図の撮影画像を得ることが可能になる。
【０２５４】
請求項２に記載の発明によれば、撮影開始の指示入力に応じて、その構図が互いに異なる複数の画像を取得すること（すなわち構図ブラケット撮影を行うこと）ができる。したがって、より良い構図の撮影画像を得ることが可能になる。また、焦点距離を広角側に変更する必要がないので、画質の低下を回避できる。
【０２５５】
請求項３に記載の発明によれば、互いに異なる構図を有する複数の画像が構図以外の撮影条件のうち少なくとも１つの条件を同一にした状態で取得されるので、構図以外の少なくとも１つの条件に影響されることなくそれらの複数の画像の中から最も良い構図の画像を選択することが可能になる。
【０２５６】
請求項４および請求項５に記載の発明によれば、指示入力に応じて、対象画像よりも小さく且つ対象画像内での位置が異なる複数の領域を対象画像から抽出することにより、互いに異なる構図を有する複数の画像を生成することができるので、その構図が互いに異なる複数の画像を簡易に生成することができる。
【図面の簡単な説明】
【図１】デジタルカメラの外観構成を示す正面図である。
【図２】デジタルカメラの外観構成を示す上面図である。
【図３】デジタルカメラの外観構成を示す背面図である。
【図４】デジタルカメラの内部機能を示すブロック図である。
【図５】ファンクション操作部およびデジタルエフェクト操作部を示す図である。
【図６】被写体の撮影範囲を示す図である。
【図７】被写体の撮影範囲を示す図である。
【図８】被写体の撮影範囲を示す図である。
【図９】被写体の撮影範囲を示す図である。
【図１０】構図ブラケット撮影におけるデジタルカメラの動作を示すフローチャートである。
【図１１】構図ブラケット撮影におけるデジタルカメラの動作を示すフローチャートである。
【図１２】警告表示画面を示す図である。
【図１３】構図ブラケットの設定画面を示す図である。
【図１４】ズームレンズの位置を示す図である。
【図１５】ズームレンズの移動後の撮影範囲（ブラケット範囲が広い場合）を示す図である。
【図１６】ズームレンズの移動後の撮影範囲（ブラケット範囲が狭い場合）を示す図である。
【図１７】ライブビュー画面Ｇ３を示す図である。
【図１８】広角画像の中央領域を示す図である。
【図１９】広角画像の左上領域を示す図である。
【図２０】広角画像の右上領域を示す図である。
【図２１】広角画像の右下領域を示す図である。
【図２２】広角画像の左下領域を示す図である。
【図２３】共通の被写体領域を示す図である。
【図２４】名称付与ルール（構図ブラケット撮影以外）を説明する図である。
【図２５】名称付与ルール（構図ブラケット撮影）を説明する図である。
【図２６】ファイル名称の例を示す図である。
【図２７】ファイル名称の他の例を示す図である。
【図２８】画像ファイルの構造を示す図である。
【図２９】９枚の画像を取得する場合の取得順序を示す図である。
【図３０】再生モードにおける動作を示すフローチャートである。
【図３１】構図ブラケット撮影画像についての再生表示画面を示す図である。
【図３２】構図ブラケット撮影画像についての再生表示画面を示す図である。
【図３３】再生モードにおけるメニュー画面を示す図である。
【図３４】構図ブラケット処理による生成画像の元画像に対する位置を示す図である。
【図３５】構図ブラケット処理による生成画像の元画像に対する位置を示す図である。
【図３６】構図ブラケット処理による生成画像の元画像に対する位置を示す図である。
【図３７】構図ブラケット処理による生成画像の元画像に対する位置を示す図である。
【図３８】構図ブラケット処理による生成画像の元画像に対する位置を示す図である。
【図３９】第２実施形態に係るデジタルカメラの主たる構成を示す断面図である。
【図４０】ＣＣＤ移動部の分解斜視図である。
【図４１】機能ブロック図である。
【図４２】第２実施形態の構図ブラケット撮影における動作を示すフローチャートである。
【図４３】第２実施形態の構図ブラケット撮影における動作を示すフローチャートである。
【図４４】ＣＣＤの移動の様子を示す図である。
【図４５】図４４の一部拡大図である。
【図４６】ＣＣＤの別の移動の様子を示す図である。
【図４７】９枚の画像を撮影する際の撮影順序を示す図である。
【図４８】ＣＣＤの別の移動の様子を示す図である。
【符号の説明】
１，１０１　デジタルカメラ
２，１０３　撮影レンズ
２ａ　ズームリング
４　ＥＶＦ
５，１６３　ＬＣＤ
６　メニューボタン
７　コントロールボタン
７Ｃ　決定ボタン
７Ｕ，７Ｄ，７Ｌ，７Ｒ　十字カーソルボタン
９，１６１　シャッタボタン
１１　ファンクション操作部
１４　デジタルエフェクト操作部
２０，１０５　ＣＣＤ撮像素子
１５０　ＣＣＤ移動部
９０，１９１　メモリカード
【図１】
2004109247.tif 000003
【図２】
2004109247.tif 000004
【図３】
2004109247.tif 000005
【図４】
2004109247.tif 000006
【図５】
2004109247.tif 000007
【図６】
2004109247.tif 000008
【図７】
2004109247.tif 000009
【図８】
2004109247.tif 000010
【図９】
2004109247.tif 000011
【図１０】
2004109247.tif 000012
【図１１】
2004109247.tif 000013
【図１２】
2004109247.tif 000014
【図１３】
2004109247.tif 000015
【図１４】
2004109247.tif 000016
【図１５】
2004109247.tif 000017
【図１６】
2004109247.tif 000018
【図１７】
2004109247.tif 000019
【図１８】
2004109247.tif 000020
【図１９】
2004109247.tif 000021
【図２０】
2004109247.tif 000022
【図２１】
2004109247.tif 000023
【図２２】
2004109247.tif 000024
【図２３】
2004109247.tif 000025
【図２４】
2004109247.tif 000026
【図２５】
2004109247.tif 000027
【図２６】
2004109247.tif 000028
【図２７】
2004109247.tif 000029
【図２８】
2004109247.tif 000030
【図２９】
2004109247.tif 000031
【図３０】
2004109247.tif 000032
【図３１】
2004109247.tif 000033
【図３２】
2004109247.tif 000034
【図３３】
2004109247.tif 000035
【図３４】
2004109247.tif 000036
【図３５】
2004109247.tif 000037
【図３６】
2004109247.tif 000038
【図３７】
2004109247.tif 000039
【図３８】
2004109247.tif 000040
【図３９】
2004109247.tif 000041
【図４０】
2004109247.tif 000042
【図４１】
2004109247.tif 000043
【図４２】
2004109247.tif 000044
【図４３】
2004109247.tif 000045
【図４４】
2004109247.tif 000046
【図４５】
2004109247.tif 000047
【図４６】
2004109247.tif 000048
【図４７】
2004109247.tif 000049
【図４８】
2004109247.tif 000050